(57)【特許請求の範囲】
【請求項１】
筒状部と帯状体の取付け部とを有する雌部材と、帯状体の取付け部と前記雌部材における筒状部の一方の側から該筒状部内に差し込まれる弾性係合片とを有する雄部材と、前記雌部材における筒状部の他方の側から該筒状部内に抜き差し可能に差入れられる差入れ部を備えた解除部材とを有し、
前記雌部材が、この雌部材の筒状部内に差入れられる前記弾性係合片を該差入れに伴って撓ませる案内部と該弾性係合片の弾み戻し係合される係合部とを該筒状部内に備えており、
前記解除部材の差入れ部が、この差入れ部を前記筒状部内に差入れた際に、前記係合部に係合されている前記弾性係合片に接して、該弾性係合片を前記係合部との係合を解く向きに撓ませる案内面を備えており、
前記雄部材と前記雌部材とが、該雄部材における前記弾性係合片の前記筒状部に対する該筒状部の一方の側からの差入れに伴う該弾性係合片と前記係合部との係合によって係合され、且つ、該筒状部の他方の側からの前記解除部材の差入れ部の差入れによる前記弾性係合片と前記係合部との係合の解除によって該雄部材と該雌部材との係合が解かれることを特徴とするバックル。
【請求項２】
前記雄部材における前記取付け部が、前記帯状体の挿通される一対の挿通空間を有し且つ該対をなす挿通空間の間を該帯状体の掛け回し軸部としてあると共に、
前記雌部材が、前記筒状部に前記雄部材の前記弾性係合片を受け入れて前記係合部に該弾性係合片を係合させた際に、前記雄部材における前記取付け部の少なくとも帯状体を掛け回した前記掛け回し軸部を該掛け回し軸部の軸線方向で両側から覆い隠す覆い板部を該筒状部における前記弾性係合片の差し込み側から突き出し状態に備えていることを特徴とする請求項１記載のバックル。
【請求項３】
前記雌部材が、前記掛け回し軸部の少なくとも一部を前記覆い板部から外方に表れるように前記筒状部に前記雄部材における前記弾性係合片を差し込んだ差し込み位置で該弾性係合片の係合される第１係合部と、
少なくとも前記掛け回し軸部をその軸線方向で両側から前記覆い板部で覆い隠すように前記筒状部に前記雄部材における前記弾性係合片を差し込んだ差し込み位置で該弾性係合片の係合される第２係合部とを備えていることを特徴とする請求項２記載のバックル。
【発明の詳細な説明】
【０００１】
【発明の属する技術分野】
この発明は、帯状体相互を容易且つ確実に連結すると共に、その連結状態を確実に維持し得るようにしたバックルの提供に関する。
【０００２】
【従来の技術】
帯状体１２０の連結の手段として用いられるバックルは、例えば、当該帯状体１２０相互を容易に連結する構成を備えたものとして、図７２及び図７３に示される雌部材１００及び雄部材１１０とからなるバックルがあった。かかる従来のバックルにあっては、当該バックルを構成する雌部材１００を、周側部分に係合用の窓孔１０２を開設した筒状部１０１と、この筒状部１０１の一端側に延設状態に帯状体１２０の取付け部１０３を備えた構成とし、また、雄部材１１０を、帯状体１２０の取付け部１１１と、前記雌部材１００の筒状部１０１の内壁面１０１ａに沿って撓められながら該筒状部１０１内に押し入れられると共に前記窓孔１０２から係合凸部１１３が突き出されるように弾み戻される弾性係合片１１２とを備えた構成としてあり、この雄部材１１０と雌部材１００とにそれぞれ帯状体１２０を取付けて用いるようにしていた。
【０００３】
かかるバックルにあっては、このバックルを構成する雄部材１１０における弾性係合片１１２を雌部材１００の筒状部１０１内に沿って撓めた状態で押し入れると共に、該雌部材１００における窓孔１０２から該弾性係合片１１２における係合凸部１１３が突き出されるように該弾性係合片１１２を弾み戻すようにして該係合凸部１１３を前記窓孔縁１０２ａに係合させることによって、該雄部材１１０と雌部材１００とを連結状態として用い、また、この窓孔１０２から外方に突き出すように該窓孔縁１０２ａに係合凸部１１３の係合されている弾性係合片１１２の当該係合凸部１１３を前記筒状部１０１の内方に押し入れるようにして該窓孔縁１０２ａに対する弾性係合片１１２の係合を解くことによって、雄部材１１０と雌部材１００とを分離状態にして用いるようにしていた。
【０００４】
【発明が解決しようとする課題】
かかるバックルにあっては、帯状体１２０に取付けられた雄部材１１０における弾性係合片１１２を、他の帯状体１２０に取付けられた雌部材１００の筒状部１０１に対して、単に差入れ状態に差入れることのみによって、帯状体１２０相互の連結を即座になすことができる利点を有する反面、この雌部材１００の窓孔１０２から外方に表れている雄部材１１０の弾性係合片１１２の係合凸部１１３を該雌部材１００における筒状部１０１内に向けて、単に押し込み状態に押すことのみによって、前記帯状体１２０相互の連結の解除がなされ、かかる解除の操作が何人でも容易になし得ることから、バックルを構成する雌部材１００と雄部材１１０の係合解除による荷ほどきなどを特定の取扱者のみに限定したい場合などにおける当該帯状体１２０の連結手段としては不向きであった。
【０００５】
この発明は、このような帯状体相互の連結手段として、容易な取扱操作による雄部材と雌部材との係合が可能であると共に、当該バックルの雌雄部材相互の係合状態の解除を解除部材を有する特定の取扱者のみに限定し得るようにしたバックルの提供をなすものである。
【０００６】
【課題を解決するための手段】
この発明は前記の目的を達成するために、請求項１記載の発明を、筒状部と帯状体の取付け部とを有する雌部材と、帯状体の取付け部と前記雌部材における筒状部の一方の側から該筒状部内に差し込まれる弾性係合片とを有する雄部材と、前記雌部材における筒状部の他方の側から該筒状部内に抜き差し可能に差入れられる差入れ部を備えた解除部材とを有し、
前記雌部材が、この雌部材の筒状部内に差入れられる前記弾性係合片を該差入れに伴って撓ませる案内部と該弾性係合片の弾み戻し係合される係合部とを該筒状部内に備えており、
前記解除部材の差入れ部が、この差入れ部を前記筒状部内に差入れた際に、前記係合部に係合されている前記弾性係合片に接して、該弾性係合片を前記係合部との係合を解く向きに撓ませる案内面を備えており、
前記雄部材と前記雌部材とが、該雄部材における前記弾性係合片の前記筒状部に対する該筒状部の一方の側からの差入れに伴う該弾性係合片と前記係合部との係合によって係合され、且つ、該筒状部の他方の側からの前記解除部材の差入れ部の差入れによる前記弾性係合片と前記係合部との係合の解除によって該雄部材と該雌部材との係合が解かれることを特徴とするバックルとしてある。
【０００７】
このように構成されるバックルにあっては、このバックルを構成する雄部材と雌部材とを夫々に備えた各帯状体相互を、該雌部材の筒状部に対する前記雄部材の弾性係合片の差し込み係合のみによって、連結状態とし、しかも、この雄部材と雌部材との係合による帯状体の連結を当該係合状態にある雌部材の筒状部内に対する解除部材の差入れ操作によって解除することができる。
【０００８】
次いで、前記目的を達成するために請求項２記載に係るバックルを前記請求項１記載に係るバックルにおいて、前記雄部材における前記取付け部が、前記帯状体の挿通される一対の挿通空間を有し且つ該対をなす挿通空間の間を該帯状体の掛け回し軸部としてあると共に、
前記雌部材が、前記筒状部に前記雄部材の前記弾性係合片を受け入れて前記係合部に該弾性係合片を係合させた際に、前記雄部材における前記取付け部の少なくとも帯状体を掛け回した前記掛け回し軸部を該掛け回し軸部の軸線方向で両側から覆い隠す覆い板部を該筒状部における前記弾性係合片の差し込み側から突き出し状態に備えていることを特徴とするバックルとしてある。
【０００９】
このように構成されるバックルにあっては、前記特長に併せて、雌部材に係合されていない状態の雄部材に取付けられている帯状体を締め込み方向に締め込み、又は、この帯状体を緩み出し方向に緩め得ると共に、当該雄部材を雌部材に係合することによって、該雄部材に掛け回されている帯状体の緩み出し方向に向けた緩み出し操作が阻止される。
【００１０】
次いで、前記目的を達成するために請求項３記載に係るバックルを前記請求項２記載に係るバックルにおいて、前記雌部材が、前記掛け回し軸部の少なくとも一部を前記覆い板部から外方に表れるように前記筒状部に前記雄部材における前記弾性係合片を差し込んだ差し込み位置で該弾性係合片の係合される第１係合部と、
少なくとも前記掛け回し軸部をその軸線方向で両側から前記覆い板部で覆い隠すように前記筒状部に前記雄部材における前記弾性係合片を差し込んだ差し込み位置で該弾性係合片の係合される第２係合部とを備えていることを特徴とするバックルとしてある。
【００１１】
このように構成されるバックルにあっては、前記特長に併せて、各帯状体に取付けられた雄部材の弾性係合片を雌部材における第１係合部に係合させることによって、これに取付けられている帯状体を容易に連結状態とし、しかも、当該連結状態において雄部材に取付けられている帯状体を締め込み方向に向けて締め込み、又は緩み出させることができると共に、帯状体に取付けられた雄部材の弾性係合片を雌部材における第２係合部に係合させることによって、該雄部材に掛け回されている帯状体の緩み出し方向に向けた緩み出し操作が阻止される。
【００１２】
【発明の実施の形態】
以下、この発明の典型的な各実施に形態に係るバックルについて詳細に説明する。
【００１３】
図１〜図３５は第１の実施の形態に係るバックルを示すものであって、図１で示される状態を説明の便宜上「平面図」とし、これを便宜上の基準として以下説明する。
【００１４】
図１〜図８は当該バックルを構成する雄部材Ａと雌部材Ｂとを組み付けた状態を、図１では、これを上方から見て、図２では、これを下方から見て、図３では、これを前方から見て、図４では、これを右側方から見て、図５では、これを左側方から見て、図６では、これを縦方向で断面して、図７では、これを水平の向きで断面して上方から下側を見て、図８では、これを水平の向きで断面して下方から上側を見て夫々示したものであって、これを背面側から見た図は図３と対象に表れる。
図９は当該バックルを構成する各部品を分離し、これを斜め上方から視て示したものである。
図１０〜図１７は当該バックルを構成する雌部材Ｂを、図１０では、これを上方から見て、図１１では、これを下方から見て、図１２では、これを前方から見て、図１３では、これを右側方から見て、図１４では、これを左側方から見て、図１５では、これを縦方向で断面して、図１６では、これを水平の向きで断面して上方から下側を見て、図１７では、これを水平の向きで断面して下方から上側を見て夫々示したものであって、これを背面側から見た図は図１２と対象に表れる。
図１８〜図２３は当該バックルを構成する雄部材Ａを、図１８では、これを上方から見て、図１９では、これを下方から見て、図２０では、これを前方から見て、図２１では、これを右側方から見て、図２２では、これを左側方から見て、図２３では、これを縦方向で断面して夫々示したものであって、これを背面側から見た図は図２０と対象に表れる。
図２４〜図２８は当該バックルを構成する解除部材Ｃを、図２４では、これを上方から見て、図２５では、これを前方から見て、図２６では、これを右側方から見て、図２７では、これを左側方から見て、図２８では、これを縦方向で断面して夫々示したものであって、これを下面側から見た図は図２４と同一に、また、これを背面側から見た図は図２５と対象に表れる。
【００１５】
図２９〜図３５では当該バックルの使用状態を示すものであって、図２９では、雄部材Ａの弾性係合片２０を雌部材Ｂの第１係合部７５Ａに係合した状態を、図３０では、該弾性係合片２０を雌部材Ｂの第２係合部７５Ｂに係合した状態を夫々縦方向で断面して示している。また、図３１では、雄部材Ａの弾性係合片２０を雌部材Ｂの第１係合部７５Ａに係合した状態を、図３２では、該弾性係合片２０を雌部材Ｂの第２係合部７５Ｂに係合した状態の筒状部４０を夫々水平の向きで断面して上方から下側を見て示している。また、図３３では、雄部材Ａの該弾性係合片２０が雌部材Ｂの第２係合部７５Ｂに係合されている状態で解除部材Ｃを筒状部４０内に差し入れた状態を、図３４では、当該状態において解除部材Ｃを筒状部４０内に押し入れて雄部材Ａの弾性係合片２０を撓め、係合部７５に対する係合を解除している状態の筒状部４０を夫々水平の向きで断面して上方から下側を見て示している。
図３５は、当該バックルを備えた帯状体Ｄを用いている具体的な適用例を斜視図の状態で示したものである。
【００１６】
図３６〜図７１は第２の実施の形態に係るバックルを示すものであって、図３６で示される状態を説明の便宜上「平面図」とし、これを便宜上の基準として以下説明する。
【００１７】
図３６〜図４３は当該バックルを構成する雄部材Ａと雌部材Ｂとを組み付けた状態を、図３６では、これを上方から見て、図３７では、これを下方から見て、図３８では、これを前方から見て、図３９では、これを右側方から見て、図４０では、これを左側方から見て、図４１では、これを縦方向で断面して、図４２では、これを水平の向きで断面して上方から下側を見て、図４３では、これを水平の向きで断面して下方から上側を見て夫々示したものであって、これを背面側から見た図は図３８と対象に表れる。
図４４は当該バックルを構成する各部品を分離し、これを斜め上方から視て示したものである。
図４５〜図５３は当該バックルを構成する雌部材Ｂを、図４５では、これを上方から見て、図４６では、これを下方から見て、図４７では、これを前方から見て、図４８では、これを右側方から見て、図４９では、これを左側方から見て、図５０では、これを雄部材Ａの差し込み方向において縦方向で断面して、図５１では、これを雄部材Ａの差し込み方向に直交する向きにおいて縦方向で断面して、図５２では、これを水平の向きで断面して上方から下側を見て、図５３では、これを水平の向きで断面して下方から上側を見て夫々示したものであって、これを背面側から見た図は図４７と対象に表れる。
図５４〜図５９は当該バックルを構成する雄部材Ａを、図５４では、これを上方から見て、図５５では、これを下方から見て、図５６では、これを前方から見て、図５７では、これを右側方から見て、図５８では、これを左側方から見て、図５９では、これを縦方向で断面して夫々示したものであって、これを背面側から見た図は図５６と対象に表れる。
図６０〜図６５は当該バックルを構成する解除部材Ｃを、図６０では、これを上方から見て、図６１では、これを下方から見て、図６２では、これを前方から見て、図６３では、これを右側方から見て、図６４では、これを左側方から見て、図６５では、これを縦方向で断面して夫々示したものであって、これを背面側から見た図は図６２と対象に表れる。
【００１８】
図６６〜図７０では当該バックルの使用状態を示すものであって、図６６では、雄部材Ａの弾性係合片２０を雌部材Ｂの係合部７５に係合した状態を縦方向で断面して示している。また、図６７では、雄部材Ａの弾性係合片２０を雌部材Ｂの係合部７５に係合した状態の筒状部４０を水平の向きで断面して上方から下側を見て示している。また、図６８では、雄部材Ａの弾性係合片２０を雌部材Ｂの係合部７５に係合した状態で筒状部４０内に解除部材Ｃを差し入れている状態を縦方向で断面して示している。図６９では、雄部材Ａの該弾性係合片２０が雌部材Ｂの係合部７５に係合されている状態で解除部材Ｃを筒状部４０内に差し入れた状態を、図７０では、当該状態において解除部材Ｃを筒状部４０内に押し入れて雄部材Ａの弾性係合片２０を撓め、係合部７５に対する係合を解除している状態の筒状部４０を夫々水平の向きで断面して上方から下側を見て示している。
図７１は、当該バックルを備えた帯状体Ｄを用いている具体的な適用例を斜視図の状態で示したものである。
【００１９】
この実施の形態に係るバックルは、典型的には、筒状部４０と帯状体Ｄの取付け部５０とを有する雌部材Ｂと、帯状体Ｄの取付け部１０と前記雌部材Ｂにおける筒状部４０の一方の側から該筒状部４０内に差し込まれる弾性係合片２０とを有する雄部材Ａと、前記雌部材Ｂにおける筒状部４０の他方の側から該筒状部４０内に抜き差し可能に差入れられる差入れ部８０を備えた解除部材Ｃとを有し、前記雌部材Ｂが、この雌部材Ｂの筒状部４０内に差入れられる前記弾性係合片２０を該差入れに伴って撓ませる案内部７４と該弾性係合片２０の弾み戻し係合される係合部７５とを該筒状部４０内に備えており、前記解除部材Ｃの差入れ部８０が、この差入れ部８０を前記筒状部４０内に差入れた際に、前記係合部７５に係合されている前記弾性係合片２０に接して、該弾性係合片２０を前記係合部７５との係合を解く向きに撓ませる案内面８２ｃを備えており、前記雄部材Ａと前記雌部材Ｂとが、該雄部材Ａにおける前記弾性係合片２０の前記筒状部４０に対する該筒状部４０の一方の側からの差入れに伴う該弾性係合片２０と前記係合部７５との係合によって係合され、且つ、該筒状部４０の他方の側からの前記解除部材Ｃの差入れ部８０の差入れによる前記弾性係合片２０と前記係合部７５との係合の解除によって該雄部材Ａと該雌部材Ｂとの係合が解かれる構成としてある。
【００２０】
このように構成されるバックルにあっては、このバックルを構成する雄部材Ａと雌部材Ｂとを夫々に備えた各帯状体Ｄ相互を、該雌部材Ｂの筒状部４０に対する前記雄部材Ａの弾性係合片２０の差し込み係合のみによって、容易に、しかも確実に連結状態として用い得る特長を有すると共に、この雄部材Ａと雌部材Ｂとの係合による帯状体Ｄの連結を当該連結状態にある雌部材Ｂの筒状部４０内に対する解除部材Ｃの差入れ操作のみによって解除可能とされる特長を有している。
【００２１】
また前記の構成に係るバックルにおいて、前記雄部材Ａにおける前記取付け部１０が、前記帯状体Ｄの挿通される一対の挿通空間を有し且つ該対をなす挿通空間の間を該帯状体の掛け回し軸部１４としてあると共に、前記雌部材Ｂが、前記筒状部４０に前記雄部材Ａの前記弾性係合片２０を受け入れて前記係合部７５に該弾性係合片２０を係合させた際に、前記雄部材Ａにおける前記取付け部１０の少なくとも帯状体Ｄを掛け回した前記掛け回し軸部１４を該掛け回し軸部１４の軸線方向で、両側から覆い隠す覆い板部６１を該筒状部４０における前記弾性係合片２０の差し込み側から突き出し状態に備えているバックルとしてあることもある。
【００２２】
このように構成されるバックルにあっては、前記特長に併せて、雌部材Ｂの係合されていない状態の雄部材Ａに取付けられている帯状体Ｄを締め込み方向に締め込み、又は、この帯状体Ｄを緩み出し方向に緩めた状態で当該雄部材Ａを雌部材Ｂに係合することによって、これに取付けられている帯状体Ｄ相互を当該締め込み又は緩み出し状態において連結することができ、しかも、この雄部材Ａと雌部材Ｂとの係合によって帯状体Ｄを連結した状態において該雄部材Ａに掛け回されている帯状体Ｄの緩み出し方向に向けた緩み出し操作を阻止し得る特長を有している。
【００２３】
また、前記構成に係るバックルにおいて、前記雌部材Ｂが、前記掛け回し軸部１４の少なくとも一部を前記覆い板部６１から外方に表れるように前記筒状部４０に前記雄部材Ａにおける前記弾性係合片２０を差し込んだ差し込み位置で該弾性係合片２０の係合される第１係合部７５Ａと、少なくとも前記掛け回し軸部１４をその軸線方向で、両側から前記覆い板部６１で覆い隠すように前記筒状部４０に前記雄部材Ａにおける前記弾性係合片２０を差し込んだ差し込み位置で該弾性係合片２０の係合される第２係合部７５Ｂとを備えているバックルとしてあることもある。
【００２４】
このように構成されるバックルにあっては、更に、前記特長に併せて、各帯状体Ｄに取付けられた雄部材Ａの弾性係合片２０を雌部材Ｂにおける第１係合部７５Ａに係合させることによって、これに取付けられている帯状体Ｄを容易に連結状態にして用い得ると共に、当該連結状態において雄部材Ａに取付けられている帯状体Ｄを締め込み方向に向けて締め込み、又は緩み出させて用いることができ、しかも、帯状体Ｄに取付けられた雄部材Ａの弾性係合片２０を雌部材Ｂにおける第２係合部７５Ｂに係合させることによって、これに取付けられている帯状体Ｄを容易に連結状態にし、しかも、当該帯状体Ｄの連結の解除を該雌部材Ｂの筒状部４０内に対する解除部材Ｃの差し込み操作のみにより可能とし、また、この雄部材Ａと雌部材Ｂとを係合した帯状体Ｄの連結状態において該雄部材Ａに掛け回されている帯状体Ｄの緩み出し方向に向けた緩み出し操作を阻止し得る特長を有している。
【００２５】
（１）第１の実施の形態に係るバックル
以下、図１〜図３５に示される第１の実施の形態に係るバックルについて具体的に説明をする。
【００２６】
この第１の実施の形態に係るバックルは、帯状体Ｄの一端側に取付け用いられる雄部材Ａと、該帯状体Ｄの他端側に取付け用いられる雌部材Ｂとを、この雌部材Ｂの筒状部４０内に備えられる係合部７５に該雄部材Ａにおける弾性係合片２０を係合させることによって、当該帯状体Ｄ相互を連結状態にして用いると共に、この帯状体Ｄを連結状態にした雄部材Ａと雌部材Ｂとの係合の解除を当該雌部材Ｂ内に差し込まれる解除部材Ｃによる当該筒状部４０内にある弾性係合片２０の撓み操作による構成としてあり、筒状部４０と帯状体Ｄの取付け部５０とを有する雌部材Ｂと、帯状体Ｄの取付け部１０と前記雌部材Ｂにおける筒状部４０の一方の側から該筒状部４０内に差し込まれる弾性係合片２０とを有する雄部材Ａと、前記雌部材Ｂにおける筒状部４０の他方の側から該筒状部４０内に抜き差し可能に差入れられる差入れ部８０を備えた解除部材Ｃとを有し、
前記雌部材Ｂが、この雌部材Ｂの筒状部４０内に差入れられる前記弾性係合片２０を該差入れに伴って撓ませる案内部７４と該弾性係合片２０の弾み戻し係合される係合部７５とを該筒状部４０内に備えており、
前記解除部材Ｃの差入れ部８０が、この差入れ部８０を前記筒状部４０内に差入れた際に、前記係合部７５に係合されている前記弾性係合片２０に接して、該弾性係合片２０を前記係合部７５との係合を解く向きに撓ませる案内面８２ｃを備えており、
前記雄部材Ａと前記雌部材Ｂとが、該雄部材Ａにおける前記弾性係合片２０の前記筒状部４０に対する該筒状部４０の一方の側からの差入れに伴う該弾性係合片２０と前記係合部７５との係合によって係合され、且つ、該筒状部４０の他方の側からの前記解除部材Ｃの差入れ部８０の差入れによる前記弾性係合片２０と前記係合部７５との係合の解除によって該雄部材Ａと該雌部材Ｂとの係合が解かれる構成としてある。
【００２７】
先ず、この第１の実施の形態に係るバックルを構成する雄部材Ａは、より具体的には帯状体Ｄを長さ調節可自在に取り付けると共に手指による把持操作などに用いられる取付け部１０と、この取付け部１０から一体に延設されている弾性係合片２０及びガイドロッド３０を備えた構成としてあり、これらが略同一の平面内に備えられる構成としてあり、例えば、型成形されるプラスッチク成形品などとして用意される。
【００２８】
この雄部材Ａを構成する取付け部１０は、一端側でやや拡がるように互いに向き合って備えられる一対の長方形状をなす側板部１１と、この側板部１１における互いに近付いた側の該側端間を接続するように備えられる掛け回し側板部１２と、この掛け回し側板部１２に向き合うように前記側板部１１の他方の側端間を接続するように該側板部１１からやや外方に突き出すようにして備えられる差込み側基板部１３とを略環枠状をなすように構成してあると共に、この互いに向き合って備えられている側板部１１間に亙るように掛け回し軸部１４が設けてあり、この掛け回し軸部１４と掛け回し側板部１２との間を帯状体Ｄの挿通される外側挿通空間１５とし、また、この掛け回し軸部１４と前記差込み側基板部１３との間を当該帯状体Ｄの挿通される内側挿通空間１６としてある。
【００２９】
このように構成される取付け部１０は、互いに向き合って備えられる長方形状をなす一対の側板部１１の板幅内（図２３における上下方向の幅内）に収まるように前記差込み側基板部１３及び掛け回し側板部１２と掛け回し軸部１４とを備えた構成としてあり、追って説明する雌部材Ｂにおける筒状カバー部６０内に当該取付け部１０における少なくとも掛け回し軸部１４が、該掛け回し軸部１４に帯状体Ｄを掛け回した状態で覆い板部６１によって、その軸線の向きで、両側から覆われ得るように当該取付け部１０の差込み側基板部１３の側が都合よく納め入れ得る形態に構成してある。
【００３０】
この雄部材Ａに備えられる取付け部１０にあっては、この取付け部１０に対して帯状体Ｄを締め込み、並びに緩み出し可能に取付け得る構成としてあり、この取付け部１０を構成する側板部１１における幅方向（図２３における上下方向）の一方の幅側に位置するように前記掛け回し軸部１４を設けると共に、前記掛け回し側板部１２における当該掛け回し軸部１４の側を、前記側板部１１の幅方向において該掛け回し軸部１４の備付けと反対の側に突き出すように備えられる構成としてあり、この側板部１１における板幅方向において互いに離された位置に備えられている掛け回し軸部１４における掛け回し側板部１２側にある側縁と、掛け回し側板部１２における掛け回し軸部１４側にある側縁とが、この取付け部１０の備えられる雄部材Ａにおけるガイドロッド３０の軸線方向（図２３における左右方向）において極力近付くように設けてある。特に、この図示例にあっては、この掛け回し側板部１２における掛け回し軸部１４側にある先端縁１２ｃと、掛け回し軸部１４における掛け回し側板部１２側にある摺接面１４ｃとを通る仮想の面が、雄部材Ａの雌部材Ｂに対する差し込み方向（図２３における左右方向）に直交する面、即ち、当該雄部材Ａを構成するガイドロッド３０の軸線に直交する面となるように構成してある。
【００３１】
ここで取付け部１０を構成する掛け回し軸部１４は、側板部１１における幅側の一方の端面（図２３における側板部１１の下端面）に略面一の状態で、該側板部１１間に亙って備えられる摺接面１４ａと、この摺接面１４ａにおける前記掛け回し側板部１２側にある側縁１４ｂから略直角に屈曲して当該側板部１１における幅方向の他方側に向けて延びるように備えられる摺接面１４ｃと、前記側縁１４ｂと反対側にある摺接面１４ａの側縁１４ｄから前記差込み側基板部１３の側を向き、しかも、前記側板部１１の幅方向の他方側に向けて傾斜する摺接面１４ｅと、この摺接面１４ｅに摺り移動可能に掛け回される帯状体Ｄが摺接されることなく、前記掛け回し側板部１２に案内し得るように当該摺接面１４ｅから屈曲して連続されている屈曲面１４ｆと、この屈曲面１４ｆ及び前記摺接面１４ｃとの間に備えられる屈曲面１４ｇとを備えた構成としてある。
また、前記摺接面１４ａには、該面の幅側に亙るように備えられた溝とリブとを該摺接面１４ａの長手側に亙って連続して備えるようにした凹凸面１４ｈが設けてある。
【００３２】
また、この掛け回し軸部１４に掛け回される帯状体Ｄを当該帯状体Ｄと協働して、所定の掛け回し位置に停止状態とし、また、当該停止状態にある係合を解いて当該掛け回し軸部１４に掛け回されている帯状体Ｄを緩み側に向けて摺り移動させると共に、当該掛け回し軸部１４に掛け回されている帯状体Ｄを締め込み側に向けて引き絞り移動を可能とする掛け回し側板部１２は、前記側板部１１間に備えられる屈曲した板状体として構成してあり、この互いに向き合った側板部１１における差込み側基板部１３と反対の側にある該側板部１１の幅方向における略中間位置にあって、該側端から一端側を外方に僅かに突き出すように前記ガイドロッド３０の軸線と同一方向に向けて延びるように備えられる操作板部１２ａと、この操作板部１２ａにおける掛け回し軸部１４側から、差込み側基板部１３に向け、しかも、前記側板部１１の幅方向において掛け回し軸部１４の備えられている側と反対の側に向けて斜めに延設された支持板部１２ｂとを備えた構成としてある。
【００３３】
この図示例に係る取付け部１０を構成する掛け回し側板部１２は、前記掛け回し軸部１４と協働して、当該掛け回し軸部１４に掛け回されるように外側挿通空間１５及び内側挿通空間１６に挿通された帯状体Ｄに対して、当該帯状体Ｄの締め込み停止、並びに緩み戻し機能とを確実にもたらし得るように、前記支持板部１２ｂの先端縁１２ｃが、当該取付け部１０の備えられ構成される雄部材Ａにおけるガイドロッド３０の軸線方向にあって、極力掛け回し軸部１４の側に近接した状態としてあると共に、この支持板部１２ｂの先端部側を、前記摺接面１４ａと反対の側にある側板部１１における幅側の側端面に略面一且つ平行に備えられる摺接面１２ｄと、前記操作板部１２ａの側から前記屈曲面１４ｇに向き合い、且つ、該屈曲面１４ｇに略平行とされる傾斜面１２ｅとを有し、この傾斜面１２ｅと摺接面１２ｄとによって、該支持板部１２ｂの先端縁１２ｃが鋭角な突き出し端となるように構成してある。
また、前記摺接面１２ｄには、該面の先端縁１２ｃ側を残すようにして、該面１２ｄの幅方向を向いて設けられた溝とリブとを、該面１２ｄの長手側に亙って連続して備えた凹凸面１２ｆが設けてある
【００３４】
かくして構成される取付け部１０にあっては、例えば、内側挿通空間１６に対して、側板部１１の幅方向（図２３における上下方向）において掛け回し軸部１４の備えつけ側と反対の側から帯状体Ｄの先端側Ｄａを差入れ、且つ、当該帯状体Ｄを掛け回し軸部１４に掛け回すようにして外側挿通空間１５に差入れ、これを引き出すと共に、この引き出し帯状体Ｄの先端側Ｄａを当該帯状体Ｄにおける前記内側挿通空間１６の外方にある帯状体Ｄに重ね合わせの状態とし、これらを前記掛け回し側板部１２における摺接面１２ｄに沿うように取付け部１０から外方に引き出すことによって、帯状体Ｄを当該取付け部１０に対して長さ調節可能に取付け用いることができる。（図２９参照）
【００３５】
次いで、この雄部材Ａを構成する弾性係合片２０は、前記取付け部１０を構成する側板部１１間に備えられる差込み側基板部１３の両側部から該側板部１１と反対の側に向けて、互いに同一の平面内に延びるように該側板部１１と平行な態様に突き出すように設けてあり、また、この一対の弾性係合片２０と平行な態様で前記差込み側基板部１３の略中央部分からガイドロッド３０が一体に突設してあり、この差込み側基板部１３と該差込み側基板部１３から突設されている弾性係合片２０及びガイドロッド３０とが、雌部材Ｂにおける筒状部４０に対して抜き差し可能に納め入れ得るように略同一の平面内に位置付けられる差し込み部として構成してある。
【００３６】
なお、ここで、弾性係合片２０及びガイドロッド３０の備えられる差込み側基板部１３は、前記側板部１１における側端面間を結ぶように該側板部１１の側端から外方に突き出した態様に設けてあり、前記側板部１１の内側に段差面１１ａを生ずるように該側板部１１における板幅（図２３における上下方向の幅）以内に収まる形態に設けてある。
【００３７】
かかる差込み側基板部１３に備えられる弾性係合片２０は、この差込み側基板部１３の両側部から側板部１１と反対の側に向けて該側板部１１の延長方向に延びるように設けられた弾性ロッド部２１と、この弾性ロッド部２１の先端側に備えられている係合凸部２２及び案内板部２３とを備えた構成としてある。
【００３８】
この弾性係合片２０に備えられている弾性ロッド部２１は、前記側板部１１間を連続するように備えられている差込み側基板部１３の両側部から互いに向き合って平行に突設される断面四角形状をなす直棒状の形態としてあり、この側板部１１の先端面から、該側板部１１の延長方向に向けて該側板部１１の先端に段差面１１ｂを生ずるように該先端面のやや内側に寄って設けてあると共に、互いに向き合っている側と反対側の面が、その基部側から先端側に向けてガイドロッド３０の側に漸次近付く傾斜外側面２１ａとなるように構成してある。
【００３９】
かかる弾性係合片２０に備えられる係合凸部２２は、前記弾性ロッド部２１の先端側にあって、前記傾斜外側面２１ａから外方、即ち、ガイドロッド３０の備えられている側と反対の側に突き出す構成としてある。
【００４０】
この弾性係合片２０を構成する係合凸部２２は、前記傾斜外側面２１ａと、この傾斜外側面２１ａの反対の側にある内面２１ｂを挟む両面２１ｃ（図２０における上下の面）に面一の状態で連続した一対の平行な面２２ａ，２２ａを備えていると共に、弾性ロッド部２１の側に前記傾斜外側面２１ａに対して内折れ状態に鋭角に屈曲して外方に突き出すように連続されている係合面２２ｂと、前記内面２１ｂに対して鈍角に屈曲してガイドロッド３０側に突き出すように連続される内側面２２ｃとを有し、この係合面２２ｂの先端から該係合凸部２２の先端側に向けて鋭角に屈曲して連続されるように備えられる傾斜案内面２２ｄと、前記内側面２２ｃの先端から該係合凸部２２の先端側に向けて湾曲状に連続して備えられる内側面２２ｅとが連続されて、その先端部に先窄まり状の係合凸部端２２ｆを構成するようにしてある。
【００４１】
また、前記傾斜外側面２１ａと係合面２２ｂとが連続される屈曲縁２２ｇを通る前記内面２１ｂに平行な仮想面に対して、該内面２１ｂに平行で、しかも、前記係合凸部端２２ｆを通る仮想面が該内面２１ｂの側に位置するように構成してある。
【００４２】
かかる係合凸部２２は、この係合凸部２２の先端側に案内板部２３を一体に備えた構成としてある。
この係合凸部２２に備えられる案内板部２３は、該係合凸部２２における平行な面２２ａ、２２ａに対して夫々平行な面２３ａ、２３ａを備えるように該面２２ａ、２２ａの略中間位置にあって、主として該係合凸部２２における前記傾斜案内面２２ｄ及び内側面２２ｅから一体に突き出すように設けてある。
【００４３】
この係合凸部２２に備えられる案内板部２３は、前記係合面２２ｂと傾斜案内面２２ｄとの間の屈曲縁位置から先端側に向け漸次側方に突き出す傾斜縁２３ｂと、この傾斜縁２３ｂの先端側で屈曲されて前記内面２１ｂに平行となるように延びる外縁２３ｃと、この外縁２３ｃの先端から前記ガイドロッド３０の側に向けて漸次近付くように傾斜されている傾斜案内縁２３ｄと、前記内側面２２ｃに連続して前記内側面２２ｅから前記ガイドロッド３０の側に向けて突き出すように備えられた傾斜内縁２３ｅと、この傾斜内縁２３ｅの先端側で屈曲されて前記外縁２３ｃに略平行となる内縁２３ｅ’と、この内縁２３ｅ’の先端で、前記ガイドロッド３０と反対の側に屈曲するように備えられた段差縁２３ｆと、この段差縁２３ｆから案内板部２３の先端側に向けて前記外縁２３ｃと略平行になるように備えられる内縁２３ｅ”と、この内縁２３ｅ”及び前記傾斜案内縁２３ｄとの間を連続するように前記外縁２３ｃ、内縁２３ｅ’、２３ｅ”に略直交して備えられる先端縁２３ｇとを備えた構成としてある。
【００４４】
ここで弾性係合片２０に備えられている案内板部２３は、追って説明する解除部材Ｃによって、雌部材Ｂの係合部７５に係合されている弾性係合片２０を当該係合部７５から解放し得る構成を備えたものとしてあり、この実施の形態に係る弾性係合片２０にあっては、追って説明する雌部材Ｂにおける第１係合部７５Ａに当該弾性係合片２０における係合突部２２を係合している状態で、この弾性係合片２０を構成する案内板部２３が、第２案内部７４Ｂ及び第２係合部７５Ｂを構成する隆起体７７における係合段面７７ｃよりも解除部材Ｃの差し込み側に向けて突き出し得る構成を備えたものとしてある。
【００４５】
かかる係合凸部２２に備えられる案内板部２３にあっては、前記係合凸部２２における面２２ａ、２２ａ間にあって、この各面２２ａ、２２ａと平行な面２３ａ、２３ａを備えると共に、この面２２ａ、２３ａ間に段差面２４を生ずるように当該係合凸部２２の前端側から一体に突き出すように設けてあると共に、この面２２ａと面２３ａとの間の段差面２４が前記係合凸部２２における係合凸部端２２ｆから係合面２２ｂに到る傾斜案内面２２ｄとして機能するように構成してある。
【００４６】
また、ここで、係合凸部２２から一体に前方に向けて突き出すように備えられる案内板部２３は、この案内板部２３における外縁２３ｃを通る仮想面に、前記側板部１１における前記差込み側基板部１３の備えつけ側にある外側面が位置付けられる構成としてあると共に、前記傾斜案内縁２３ｄと先端縁２３ｇの交差点を通る前記内縁２３ｅ’、２３ｅ”のなす仮想面と平行をなす面が、前記係合凸部端２２ｆを通る該内縁２３ｅ’、２３ｅ”のなす仮想面と平行をなす面に対して前記ガイドロッド３０の側に位置付けられる構成としてある。
【００４７】
かかる一対の弾性係合片２０間にあって、前記差込み側基板部１３から一体に突設状態に備えられるガイドロッド３０は、断面が略四角形状をなす棒状体として構成してあると共に、弾性係合片２０に向き合っている側面３０ａ側の先端部に該ガイドロッド３０の先端面３０ｂから該ガイドロッド３０の突設基部方に向けて漸次突き出し、しかも、該基部方端において該ガイドロッド３０の側面３０ａに向けて落ち込む段差縁３１ａを備えた三角形の翼片状をなすガイド突片３１を有する構成としてある。
【００４８】
また、この差込み側基板部１３に備えられるガイドロッド３０は、前記側面３０ａ、３０ａ間にある面３０ｄ、３０ｄに溝状部３０ｅ、３０ｅを夫々備えた構成としてあると共に、この側面３０ａの幅寸法（図２０における上下方向の幅寸法）が前記側板部１１の板幅以内とされ、しかも、前記弾性係合片２０の弾性ロッド部２１における各両面２１ｃ、２１ｃ間の寸法よりもやや大きくなるように構成してあり、前記差込み側基板部１３から斜上する傾斜面３０ｃを介して、この差込み側基板部１３の幅よりも幅広となる構成としてある。
【００４９】
また、このガイドロッド３０の突き出し寸法を、前記弾性係合片２０における先端縁２３ｇが、このガイドロッド３０における先端面３０ｂを含む該差込み側基板部１３に平行な仮想面よりも該差込み側基板部１３の側に位置付けられるように該弾性係合片２０の突き出し寸法よりもやや長めに構成してある。
また、前記の構成に係る雄部材Ａは、雌部材Ｂの筒状部４０内に当該雄部材Ａにおける弾性係合片２０を押し入れ、この雌部材Ｂに備えられている案内部７４によって撓め、又は、当該雌部材Ｂ内に差し込まれている弾性係合片２０を解除部材Ｃによって撓めた際に、この弾性係合片２０における前記段差縁２３ｆと内縁２３ｅ”とが構成する凹欠状部に、前記ガイドロッド３０におけるガイド突片３１が納まるように構成してある。
【００５０】
かかる雄部材Ａに対応して用いられる雌部材Ｂは、一端側から前記雄部材Ａにおける弾性係合片２０などが差入れ係合されると共に、他端側から追って説明する解除部材Ｃの差入れられる筒状部４０と、この解除部材Ｃの抜き差しされる筒端側に連続して備えられている帯状体Ｄの取付け部５０と、前記雄部材Ａにおける弾性係合片２０などの差入れられる筒端から延設状態に備えられている覆い板部６１を有する筒状カバー部６０と備えた構成としてあり、例えば、型成形されるプラスチック成形品などとして用意される。
【００５１】
先ず、この雌部材Ｂを構成する筒状部４０は、比較的幅広の、且つ、長方形状をなす第１板部４１と、この第１板部４１と略同寸、同形状であって、該第１板部４１に向き合って平行に備えられている第２板部４２と、この各第１板部４１及び第２板部４２の夫々の長手側縁間を塞ぐように該第１板部４１と第２板部４２とを一連に連続させるように備えられる一対の、平行に向き合った比較的細幅をなす長方形状の側板部４３とによって構成される両端開口の、且つ、断面が扁平な四角形状をなす筒状体としてある。
【００５２】
また、この筒状部４０における一方の筒端、より具体的には、雄部材Ａにおける弾性係合片２０などの差し込まれる筒端側に前記各側板部４３から一連に面一の状態で延設された側板部６２と、前記第１板部４１と第２板部４２の夫々の側端から、この第１板部４１及び第２板部４２から一旦外方に突き出すように屈曲して備えられる段差状張出し板部６１ａを介して夫々該第１板部４１及び第２板部４２と平行となるように該段差状張出し板部６１ａから一体に延設状態に設けられた覆い板部６１とを備えた筒状カバー部６０が設けてある。
【００５３】
この筒状部４０における前記雄部材Ａの弾性係合片２０などの差し込まれる筒端側に備えられる筒状カバー部６０は、筒状部４０内に前記雄部材Ａにおける弾性係合片２０などが差し込まれた際に、この筒状カバー部６０内に雄部材Ａにおける取付け部１０の少なくとも掛け回し軸部１４を、この掛け回し軸部１４に帯状体Ｄを掛け回した状態で、その軸線方向で、少なくとも、該筒状カバー部６０を構成する覆い板部６１によって両面から覆い隠し得るように、当該筒状カバー部６０内に前記取付け部１０を受け入れ得る構成としてある。
【００５４】
なお、ここで筒状部４０に一連に備えられる筒状カバー部６０は、その筒状カバー部６０内が、筒状部４０内よりも拡室状態に構成してあり、筒状部４０における第１板部４１及び第２板部４２と覆い板部６１とが連続される内側部分に段差面６１ｂを、また、側板部６２と側板部４３とが連続される内側部分に段差面６２ａを備えた構成としてある。
【００５５】
また、この雌部材Ｂを構成する筒状部４０における他方の筒端側、即ち、前記筒状カバー部６０の備えられている側と反対の筒端側には、前記各側板部４３に連続して該側板部４３から該側板部４３の延長方向に突き出すように一対の側板部５１が向き合って備えられており、この側板部５１における前記第１板部４１の側に、該第１板部４１との間に挿通スリット５３を構成するように、当該側板部５１、５１の幅側端上に亙って備えられる掛け回し板部５２が、該第１板部４１の構成する筒内面のなす仮想面よりも外方に位置付けられるように設けてあり、この掛け回し板部５２の両端部が前記第１板部４１上に至る屈曲部５２ａとして当該挿通スリット５３の両端部分を囲む構成としてある。
【００５６】
この雌部材Ｂに備えられる取付け部５０は、更に具体的には、掛け回し板部５２に掛け回される帯状体Ｄが筒状部４０に対する解除部材Ｃの差入れ部８０の抜き差しの妨げとならないように該掛け回し板部５２が、前記第１板部４１の両側から同面状に延設状態に備えられる一対の補強隆起部５１ａの外面側に亙って備えられる構成とし、この掛け回し板部５２における内側面、即ち、前記筒状部４０における筒内面に連続する側の面を、その両側部に備えられる補強隆起部５１ａによって段差状凹溝面５２ｂとしてあり、この段差状凹溝面５２ｂ内に掛け回される帯状体Ｄを、その厚幅側において極力収め入れ得るように構成してある。
【００５７】
かかる雌部材Ｂにおける前記筒状部４０には、この筒状部４０の略中央部分において、該筒状部４０内に差し込まれる雄部材Ａにおけるガイドロッド３０を略がたなく収め入れて案内する間隔をおいて一対のガイドリブ７１を第１板部４１に、同様のガイドリブ７１’を第２板部４２に夫々対設状態に設けてある。即ち、この溝状案内部７２を構成する夫々に対をなすガイドリブ７１とガイドリブ７１’とを前記第１板部４１と第２板部４２の夫々の内側から突き出すように設け、しかも、この第１板部４１に備えられている一対のガイドリブ７１と、第２板部４２に備えられている一対のガイドリブ７１’とが、互いに、その先端を向き合わせ、且つ、この先端間がガイドスリット７３を構成するように、互いの先端間を近付けるように夫々第１板部４１及び第２板部４２から突き出し状態に設けた構成としてある。
【００５８】
かかる第１板部４１におけるガイドリブ７１間と、第２板部４２におけるガイドリブ７１’間に構成される溝状案内部７２は、前記雄部材Ａにおけるガイドロッド３０が、このガイドリブ７１とガイドリブ７１’との間に構成されるガイドスリット７３間から該ガイドロッド３０におけるガイド突片３１を外方、即ち、側板部４３の側に突き出させるようにして略がたなく収め得る溝幅に構成してあり、他の筒内壁面よりもやや溝状に凹む溝状凹部７２ａを有し、しかも、この溝状凹部７２ａにおけるガイドロッド３０の差し込み側が、該筒状部４０における筒端側に向けて先拡がりの案内凹部７２ａ’としてあると共に、この案内凹部７２ａ’の内奥側位置から該筒状部４０における他方の筒端に向けて前記ガイドリブ７１とガイドリブ７１’とを隆起状に突設した構成としてある。
【００５９】
また、前記筒状カバー部６０に続く雌部材Ｂの筒状部４０には、この筒状部４０を構成する夫々の側板部４３の内側に前記雄部材Ａの弾性係合片２０を撓ませるように案内する案内部７４と、この案内部７４に撓められながら案内される弾性係合片２０が弾み戻されて係合される係合部７５とが設けてある。
即ち、前記雄部材Ａにおける一対の弾性係合片２０を筒状部４０内に受け入れた際に、この弾性係合片２０における係合凸部２２に接し、この係合凸部２２を備えた夫々の弾性係合片２０を互いに近付く向きに撓める案内部７４と、この案内部７４によって案内された弾性係合片２０における係合凸部２２の係合に供される係合部７５を該筒状部４０に備えた構成としてある。
【００６０】
この実施の形態に係る雌部材Ｂにおける雄部材Ａの弾性係合片２０を撓ませ案内部７４と、その係合に用いられる係合部７５は、該雌部材Ｂの筒状部４０に差し込まれる弾性係合片２０を第１の係合状態に係合するための第１案内部７４Ａ及び該第１案内部７４Ａに撓められながら案内されると共に弾み戻される弾性係合片２０を係合状態に維持係合する第１係合部７５Ａと、当該第１係合部７５Ａに係合されている弾性係合片２０を更に筒状部４０内に押し入れることによって、当該弾性係合片２０を再度撓める第２案内部７４Ｂ及び該第２案内部７４Ｂによって撓められながら案内されると共に弾み戻される当該弾性係合片２０を係合状態に維持する第２係合部７５Ｂとを有する構成としてある。
【００６１】
かかる雄部材Ａにおける弾性係合片２０を撓ませる案内部７４と、弾み戻し係合される係合部７５は、雌部材Ｂにおける筒状部４０の側板部４３の内側に沿って、当該弾性係合片２０の差し込み側に備えられる構成としてある。
【００６２】
この筒状部４０の側板部４３の内側面に沿って備えられる案内部７４と係合部７５は、この筒状部４０に対する弾性係合片２０の差し込み開口側で低く、即ち、側板部４３に近い状態とし、内奥側で高く、即ち、側板部４３から十分に隆起した状態に備えられた傾斜面７７ａを案内部７４とし、その頂端７７ｂ、即ち、内奥側端から側板部４３の面に向けて、しかも、前記差し込み開口側にやや傾斜するように鋭角に屈曲して備えられる係合段面７７ｃを係合部７５とした隆起体７７によって構成してある。
【００６３】
この弾性係合片２０を撓ませる案内部７４と、弾み戻される当該弾性係合片２０の係合される係合部７５を備えた隆起体７７は、筒状部４０の側板部４３における略中央にあって、前記弾性係合片２０の差し込み側から内奥側に向かって前記段差面６２ａの段差内に備えられている溝状案内部７６の側方、即ち、溝状案内部７６と雌部材Ｂを構成する第１板部４１及び第２板部４２との間に備えられる構成としてある。
この実施の形態に係る雌部材Ｂにあっては、筒状部４０における弾性係合片２０の差し込み側から該筒状部４０の内奥側に向けて、互いに向き合うように当該第１板部４１と側板部４３との間に備えられている一対の隆起体７７によって構成される第１案内部７４Ａと第１係合部７５Ａとが、この筒状部４０に差し込まれる前記弾性係合片２０における案内板部２３の片面側に位置する係合凸部２２部分に接触案内し、且つ、係合される構成としてあると共に、この隆起体７７よりも筒状部４０の内奥側に位置して、夫々の側板部４３における溝状案内部７６の両側方に位置して、第１板部４１と側板部４３との間、及び、第２板部４２と側板部４３との間に互いに向き合って備えられている４個一組の隆起体７７によって構成される第２案内部７４Ｂと第２係合部７５Ｂとが、当該筒状部４０に対して更に差し込まれる前記弾性係合片２０における案内板部２３の両面側に亙って備えられている係合凸部２２に接して、これを案内し、且つ、係合される構成としてある。
【００６４】
なお、この実施の形態に係る筒状部４０を構成する側板部４３に備えられる溝状案内部７６は、弾性係合片２０の差し込み側に備えられて、当該弾性係合片２０における案内板部２３の案内に供されるものであって、該側板部４３の幅方向の略中央にあって、筒状カバー部６０との間に構成される側板部４３の段差面６２ａ、６２ａ’との間に備えられる構成としてある。
また、ここで側板部４３に備えられる前記第１板部４１側にある段差面６２ａに対して、溝状案内部７６を介して第２板部４２側に備えられる段差面６２ａ’を、段差幅、即ち、筒状カバー部６０の内面からの隆起幅の少ないものとし、しかも、この段差面６２ａ’から内奥側に向けて延びる側板部４３の内側面に前記隆起体７７によって第２案内部７４Ｂと第２係合部７５Ｂを設けてあり、また、前記段差面６２ａから内奥側に向けて延びる側板部４３の内側面に前記隆起体７７によって第１案内部７４Ａ及び第１係合部７５Ａと、第２案内部７４Ｂ及び第２係合部７５Ｂとを連続するように設けてあり、しかも、この第２案内部７４Ｂ及び第２係合部７５Ｂが段差面６２ａ’の内奥側に備えられている前記の第２案内部７４Ｂ並びに第２係合部７５Ｂに向き合うように備えられた構成としてある。
【００６５】
かかる筒状部４０の各側板部４３に備えられる案内部７４は、この側板部４３における前記溝状案内部７６に案内板部２３を収め入れるように弾性係合片２０を筒状部４０の側板部４３に沿って差し込み、且つ、前記ガイドリブ７１、ガイドリブ７１’間に備えられているガイドスリット７３からガイドロッド３０におけるガイド突片３１を突き出すように溝状案内部７２内にガイドロッド３０を差し込んだ際に、この弾性係合片２０における係合凸部２２が、その傾斜案内面２２ｄを接して案内され、この弾性係合片２０に所要の撓みをもたらすと共に、この傾斜案内面２２ｄが案内部７４を構成する傾斜面７７ａの頂端７７ｂから係合段面７７ｃ側に送り込まれた際に、この傾斜案内面２２ｄを含む係合面２２ｂから係合凸部端２２ｆの間が前記弾性ロッド部２１の弾み戻しによって収め入れられる係合部７５を備えた構成としてある。
【００６６】
なお、この図示例にあっては、溝状案内部７６に案内される夫々の弾性係合片２０に備えられている案内板部２３は、これらの案内部７４を構成する隆起体７７に接触せず、しかも、この溝状案内部７６よりも内奥側にある筒状部４０における各側板部４３、４３間に略がたなく接する態様に納め入れ得る構成としてある。
また、この雌部材Ｂを構成する筒状部４０は、前記溝状案内部７２から、側板部４３の側に向けて第１板部４１と第２板部４２の内面が漸次近寄るように傾斜する傾斜面４１ｂ、４２ｂとしてあると共に、第１案内部７４Ａの隆起体７７の傾斜面７７ａの途中から、該筒状部４０の他方の筒端側に向けて僅かに隆起する台状案内部４１ａ、４２ａを備えた構成としてあり、雄部材Ａにおける弾性係合片２０、ガイドロッド３０などを都合良く受け入れ案内し、しかも、解除部材Ｃにおける差入れ部８０を都合よく受け入れ案内し得る構成としてある。
【００６７】
このように構成される筒状部４０にあっては、この筒状部４０内に雄部材Ａにおける弾性係合片２０を差し入れ、且つ、この弾性係合片２０における係合凸部２２を該筒状部４０内に備えられている係合部７５に係合状態とした際に、この係合状態にある弾性係合片２０に対して、当該弾性係合片２０に弾性変形をもたらすような外力の作用を生ずることがなく、この筒状部４０内において係合状態に当該弾性係合片２０を長期間維持した際にあっても、この弾性係合片２０にクリープ変形などの不具合を生ずることがない。
【００６８】
この実施の形態に係る雌部材Ｂにあっては、前記第１案内部７４Ａ及び第１係合部７５Ａを構成する隆起体７７と、第２案内部７４Ｂ及び第２係合部７５Ｂを構成する隆起体７７との間、特に、筒状部４０における弾性係合片２０の差し込み側にある隆起体７７における係合段面７７ｃと、この隆起体７７に連続して備えられている筒状部４０の内奥側にある隆起体７７における傾斜面７７ａとの間が、前記弾性係合片２０における係合凸部２２、特に、当該係合凸部２２における弾性ロッド部２１の傾斜外面２１ａと係合凸部２２ｆを結ぶ線分から外方に突き出している当該係合凸部２２部分を受け入れ得る形状としてあり、また、この筒状部４０の内奥側にある隆起体７７における係合段面７７ｃから当該筒状部４０における内奥側にある側板部４３の内面との間が、同様に前記弾性係合片２０における係合凸部２２、特に、この係合凸部２２における弾性ロッド部２１の傾斜外面２１ａと係合凸部２２ｆを結ぶ線分から外方に突き出している当該係合凸部２２部分を受け入れ得る構成としてある。
【００６９】
なお、この第１係合部７５Ａと第２係合部７５Ｂとを構成する隆起体７７は、この第１係合部７５Ａに弾性係合片２０における係合凸部２２を係合状態とした際に、第２係合部７５Ｂを構成する隆起体７７における係合段面７７ｃよりも内奥側に向けて当該弾性係合片２０における案内板部２３が突き出し得る構成としてある。
また、この実施の形態に係る弾性係合片２０は、これに備えられている各案内板部２３を、前記溝状案内部７６から筒状部４０の内奥側に向けて、前記各隆起体７７間を案内される構成としてあり、特に、この図示例に係る雄部材Ａにあっては、この対をなす弾性係合片２０における各案内板部２３が、前記筒状部４０内に何等の抵抗を受けることなく差し入れ得る間隔をもって備えられた構成としてある。
【００７０】
なお、ここで、弾性係合片２０及びガイドロッド３０を受け入れる筒状部４０は、このガイドロッド３０における面３０ｄを溝状案内部７２の溝底面に沿って略がたなく案内できると共に、弾性係合片２０における面２２ａを前記ガイドリブ７１と側板部４３との間にある第１板部４１及び第２板部４２の夫々の内側面に沿って案内できる構成としてある。
また、この弾性係合片２０及びガイドロッド３０を受け入れる筒状部４０は、この筒状部４０を構成する側板部４３の内側面に備えられた溝状案内部７６に弾性係合片２０における案内板部２３の外縁２３ｃに沿った部分を受け入れ案内する際に、この溝状案内部７６に案内板部２３を受け入れるように当該筒状部４０内に差し込まれる弾性係合片２０における案内板部２３の一方の側に突き出している係合凸部２２における傾斜案内面２２ｄの段差面２４が当該弾性係合片２０の差し込み側にあって、側板部４３と第１板部４１との間に備えられた隆起体７７の傾斜面７７ａに接して案内される構成、即ち、筒状部４０内に差し込まれる弾性係合片２０における係合凸部２２の係合凸部端２２ｆに到る傾斜案内面２２ｄが、当該弾性係合片２０の差し込み側に備えられている隆起体７７の傾斜面７７ａに接して案内される構成としてある。
【００７１】
また、この弾性係合片２０及びガイドロッド３０を受け入れる筒状部４０は、前記溝状案内部７６に案内された弾性係合片２０における案内板部２３の外縁２３ｃが、この溝状案内部７６より内方にある側板部４３の内面に略がたなく接し得る形状に構成してあると共に、前記筒状カバー部６０内に取付け部１０の一部を受け入れた態様、より具体的には、雄部材Ａにおける取付け部１０を構成する掛け回し軸部１４の少なくとも一部が、その軸線の向きで、該筒状カバー部６０を構成する覆い板部６１から外方に現われている状態において、前記弾性係合片２０の差し込み側にある隆起体７７の構成する第１係合部７５Ａに対して当該弾性係合片２０における係合凸部２２が係合される構成としてある。（図２９及び図３１参照）
【００７２】
ここで、弾性係合片２０における係合凸部２２の係合に供される第１係合部７５Ａは、弾性係合片２０の差し込み側に備えられた隆起体７７における頂端７７ｂから側板部４３の側に落ち込む係合段面７７ｃと、この隆起体７７に連続して第２案内部７４Ｂを構成する隆起体７７の傾斜面７７ｂとの間に構成される凹部としてあり、しかも、係合凸部２２における係合面２２ｂを係合段面７７ｃに接し、また、係合凸部２２における傾斜案内面２２ｄの段差面２４を傾斜面７７ａに接していることから、当該係合状態に弾性係合片２０を係合維持できる構成としてある。
【００７３】
また、この筒状部４０に差し込まれる弾性係合片２０は、前記第１係合部７５Ａに対する弾性係合片２０における係合凸部２２の係合状態から、当該弾性係合片２０を筒状部４０内に差し込み、図３０及び図３２に示されるように筒状カバー部６０内に雄部材Ａにおける取付け部１０、特に、この取付け部１０を構成する掛け回し軸部１４を、その軸線方向で、両側から覆い板部６１が覆い隠すように差し込む際に、この弾性係合片２０を構成する係合凸部２２における傾斜案内面２２ｄの段差面２４が第２案内部７４Ｂを構成する隆起体７７における傾斜面７７ａに案内された後、この傾斜面７７ａの頂端７７ｂから隆起体７７の内奥側にある当該係合段面７７ｃと側板部４３との構成する第２係合部７５Ｂ内に当該弾性係合片２０における係合凸部２２を弾み戻すように落とし込み係合し、しかも、この状態で、前記取付け部１０における側板部１１の段差面１１ｂが、前記筒状カバー部６０と筒状部４０との間に備えられている段差面６１ｂ、段差面６２ａに対して当接可能に近接される構成としてあり、当該雄部材Ａの弾性係合片２０を雌部材Ｂの第２係合部７５Ｂに対して係合維持する構成としてある。
【００７４】
このように雌部材Ｂの筒状部４０内に差し込み係合される雄部材Ａの弾性係合片２０は、この雌部材Ｂにおける係合部７５に対する係合凸部２２の係合を解く向きに当該弾性係合片２０を撓ませない限り、当該雌部材Ｂから取り外すことができず、雄部材Ａと雌部材Ｂとを確実な係合状態に維持することができる。
【００７５】
なお、前記筒状部４０を構成する第１板部４１には窓孔９０を、該筒状部４０の内外を連通するように設けてある。
この第１板部４１に設けられている窓孔９０は、この窓孔９０の孔縁から第２板部４２に向けて垂直に延びる仮想面に前記第１案内部７４Ａの隆起体７７の係合段面７７ｃと第２案内部７４Ｂを構成する隆起体７７の傾斜面７７ａとが設けられている構成としてあり、当該隆起体７７を備えた雌部材Ｂの型抜きによプラスチック成形に都合の良い構成としてある。
【００７６】
かかる雄部材Ａ及び雌部材Ｂの係合を解除する解除部材Ｃは、操作部８４と、この操作部８４の一方の側に延設状態に備えられる一対の差入れ部８０とを備えた構成としてあり、この差入れ部８０を、前記雌部材Ｂの筒状部４０における前記雄部材Ａの弾性係合片２０の差し込み側と反対の側から抜き差し可能に差入れ得る構成としてあり、例えば、型成形されるプラスチック成形品などとして用意される。
【００７７】
かかる解除部材Ｃは、環板状部８４ａと、この環板状部８４ａから一体に延設された板状部８４ｂを備えた操作部８４と、該板状部８４ｂから一体に延設されていると共に先端側が弧状の凹設縁８１ａとされているベース板部８１及び該ベース板部８１の両側方にあって、先端側を該ベース板部８１から前方に突き出すように設けられた厚板状をなす解除板部８２を備えた差入れ部８０とによって構成してある。
【００７８】
かかる解除部材Ｃを構成する差入れ部８０の一対の解除板部８２は、ベース板部８１の両側方にあって該ベース板部８１の両側面から夫々隆起し、しかも、先端側を前記凹設縁８１ａから前方に突き出すように備えられた厚肉部として構成してあり、前記ベース板部８１に平行で、しかも、前記雌部材Ｂにおける筒状部４０内において第１板部４１及び第２板部４２に略がたなく接して差入れられる面８２ｂと、互いに平行で、しかも、前記筒状部４０内の側板部４３の内面に略がたなく接して案内される側面８２ｂと、夫々の先端部から前記ベース板部８１における弧状の凹設縁８１ａに向けて設けられた傾斜状の案内面８２ｃとを備えた構成としてあり、この一対の解除板部８２は、夫々の面に凹部８３を設けた構成としてある。
【００７９】
また、この解除部材Ｃは、その差入れ部８０を構成する解除板部８２の面８２ａに続く先端面が面取り状の面８２ｄとしてあると共に、面８２ｂと案内面８２ｃとの間が曲面８２ｅとして構成してある。
【００８０】
このように構成される解除部材Ｃは、その差入れ部８０を雌部材Ｂの筒状部４０に対して、当該筒状部４０における弾性係合片２０の差し込み側と反対の側から抜き差し可能とされており、前記筒状部４０内に差し込まれると共に係合部７５に係合されている弾性係合片２０を、この弾性係合片２０における係合凸部２２を該雌部材Ｂにおける係合部７５から解放する向きに撓ませる機能を備えている。
【００８１】
かかる雌部材Ｂの係合部７５に対する雄部材Ａにおける弾性係合片２０を、その係合凸部２２の係合を解く向きに向けて撓ませる解除部材Ｃは、この雌部材Ｂの筒状部４０内に、この筒状部４０の側板部４３の内面に側面８２ｂを接して解除部材Ｃにおける解除板部８２を差入れた際に、この解除板部８２における傾斜状態に備えられる案内面８２ｃが該雌部材Ｂの筒状部４０内において係合部７５に係合されている雄部材Ａにおける弾性係合片２０の案内板部２３、特に、この案内板部２３の傾斜案内縁２３ｄに接する構成としてあり、この解除部材Ｃに備えられる前記傾斜状態にある案内面８２ｃが、係合状態にある弾性係合片２０の係合部７５に対する係合を解除する位置まで当該弾性係合片２０を撓ませる構成を備えたものとしてある。
即ち、当該解除部材Ｃを筒状部４０内に押し入れ、且つ、この傾斜状態に備えられる案内面８２ｃ内に弾性係合片２０の先端側、例えば、傾斜案内縁２３ｄ、外縁２３ｃなどを収め入れて、この弾性係合片２０を撓ませ、筒状部４０内の係合部７５に係合されている弾性係合片２０を、当該係合部７５から解放し得る構成としてある。（図３４参照）
【００８２】
また、この解除部材Ｃの差入れられる雌部材Ｂの筒状部４０は、この解除部材Ｃの差入れ側にあって、当該解除部材Ｃの先端が前記第２係合部７５Ｂを構成する隆起体７７に近接する位置まで押し入れ可能に構成してあり、前記第１係合部７５Ａに係合凸部２２を係合させた状態で、第２係合部７５Ｂを構成する隆起体７７から更に当該筒状部４０の内奥側に突き出されている弾性係合片２０における案内板部２３に対し、これを当該解除部材Ｃにおける解除板部８２の傾斜状に備えられている案内面８２ｃ内に取り入れると共に、この解除部材Ｃを、該第１係合部７５Ａに係合されている弾性係合片２０の係合を解く位置まで押し入れ撓ませ得る構成としてある。
【００８３】
このように構成されるバックルにあっては、雌部材Ｂの取付け部５０における掛け回し板部５２に対してベルトなどの帯状体Ｄの一端側を掛け回して当該帯状体Ｄを重ね合わせの状態に逢着して取り付けると共に、この帯状体Ｄの他端側を、雄部材Ａを構成する取付け部１０の掛け回し側板部１２における摺接面１２ｄの側方から内側挿通空間１６を通して掛け回し軸部１４に掛け回すと共に該帯状体Ｄの先端側Ｄａを摺接面１４ｃから外側挿通空間１５を通して、先に摺接面１２ｄの外方に案内した帯状体Ｄと当該摺接面１２ｄとの間から側方に引き出すようにして当該帯状体Ｄを雄部材Ａに対して長さ調節可能に取り付ける。
【００８４】
このように一端側に雄部材Ａを、他端側に雌部材Ｂを夫々取り付け用意した帯状体Ｄを、各種の物品、例えば、この図示例にあっては、閉蓋状態とされた複数個の食品収納容器Ｅに掛け回すと共に、雌部材Ｂの筒状部４０に対して雄部材Ａの弾性係合片２０を差入れて、この弾性係合片２０における係合凸部２２を筒状部４０に備えられている第１係合部７５Ａに係合して帯状体Ｄの取り付けをなす。
【００８５】
かかる雄部材Ａと雌部材Ｂとの係合は、前記するように該雌部材Ｂにおける筒状カバー部６０側からの雄部材Ａにおける弾性係合片２０の差し入れによってなされる。
【００８６】
この筒状部６０に対する雄部材Ａの弾性係合片２０の差し入れ係合は、より具体的には、筒状部６０に備えられているガイドリブ７１、７１’間に雄部材Ａにおけるガイドロッド３０を、このガイドロッド３０におけるガイド突片３１を前記ガイドリブ７１、７１’におけるガイドスリット７３間から突き出させるように差し入れ、且つ、この弾性係合片２０における案内板部２３を筒状部４０における溝状案内部７６に案内させるように当該弾性係合片２０における係合凸部２２の傾斜案内面２２ｄを第１係合部７５Ａと第１案内部７４Ａとを構成する隆起体７７の傾斜面７７ａに弾性的に接するように差し入れ、この隆起体７７の傾斜面７７ａと係合凸部２２の傾斜案内面２２ｄとの協働によって、当該弾性係合片２０相互を互いに近付くように弾性的に撓ませながら当該筒状部４０内に押し入れるると共に、この隆起体７７の傾斜面７７ａに接している係合凸部２２の傾斜案内面２２ｄが該傾斜面７７ａから外れ出し、その係合凸部２２を、頂端７７ｂから係合段面７７ｃに沿って該筒状部４０の内奥側に落とし込ませるように弾み戻される弾性係合片２０の当該弾み戻しによって該隆起体７７の構成する第１係合部７５Ａに当該弾性係合片２０の係合凸部２２を係合してなされる。
なお、この実施の形態に係るバックルにあっては、雄部材Ａにおける弾性係合片２０を雌部材Ｂにおける第１係合部７５Ａに係合した状態において、雄部材Ｂにおける帯状体Ｄの掛け回し軸部１４の少なくとも一部が、雌部材Ｂにおける覆い板部６１から外方に露出する構成としてあり、この掛け回し軸部１４に掛け回されている帯状体Ｄを当該係合状態において緩み戻すように操作できる構成としてある。（図２９及び図３１参照）
【００８７】
このように第１係合部７５に係合状態に維持された弾性係合片２０は、雄部材Ａを雌部材Ｂに対して更に押し入れることによって、該弾性係合片２０に備えられている係合凸部２２における傾斜案内面２２ｄが第２案内部７４Ｂを構成する隆起体７７における傾斜面７７ａに接し、再度、当該弾性係合片２０相互を近付けるように撓めると共に、この第２案内部７４Ｂにおける頂端７７ｂから係合段面７７ｃに沿って側板部４３の側に弾み戻される当該弾性係合片２０における係合凸部２２が該係合段面７７ｃによって構成される第２係合部７５Ｂに係合することによって、当該雄部材Ａにおける側板部１１の段差面１１ｂを雌部材Ｂの筒状部４０における段差面６１ｂ、６２ａに当接可能に近接し、しかも、該雄部材Ａにおける帯状体Ｄを掛け回された掛け回し軸部１４を、この掛け回し軸部１４における軸線の向きで、覆い板部６１によって覆った状態で当該雄部材Ａと雌部材Ｂとを係合状態とすることができる。
このような雄部材Ａと雌部材Ｂとの係合状態において、この係合状態にある雄部材Ａと雌部材Ｂの係合の解除は、この実施の形態に係るバックルにあっては、該係合状態にある雌部材Ｂにおける筒状部４０に対する弾性係合片２０の差込側と反対の側からの解除部材Ｃの差込に操作による当該弾性係合片２０の撓み操作による前記係合部７５からの解き放しとされ、しかも、この第２係合部７５Ｂに対する弾性係合片２０の係合状態において、雄部材Ａにおける掛け回し軸部１４に掛け回されている帯状体Ｄは、前記覆い板部６１によって、その緩み側に向けた操作を防止される構成とされ、当該状態において雄部材Ａと雌部材Ｂとの係合による帯状体Ｄの連結状態が確実に維持される。（図３０及び図３２参照）
【００８８】
かかる係合状態にある雄部材Ａと雌部材Ｂとの係合の解除は、この雌部材Ｂにおける筒状部４０に対する前記弾性係合片２０の差込側と反対の側からの解除部材Ｃの差し入れ、特に、該筒状部４０における側板部４３の筒内壁面に沿った解除板部８２の差し入れによって、この解除板部８２における案内面８２ｃを、雄部材Ａの前記弾性係合片２０における案内板部２３の傾斜案内縁２３ｄに接しさせ、この案内面８２ｃと傾斜案内縁２３ｄとの協働によって、該弾性係合片２０相互を互いに近付ける向きに撓め、前記係合部７５の係合段面７７ｃに係合されている係合凸部２２の係合を解くことによってなされる。
この解除部材Ｃによる雄部材Ａと雌部材Ｂとの係合の解除は、雌部材Ｂの第１係合部７５Ａに係合状態にある雄部材Ａにおける弾性係合片２０の案内板部２３の先端縁２３ｇが、該雌部材Ｂにおける第２係合部７５Ｂよりも当該解除部材Ｃの差し入れ側に突き出す構成としてあり、しかも、この筒状部４０に差し入れ案内される当該解除部材Ｃにおけるに解除板部８１の案内面８２ｃの先端側曲面８２ｅが該第２係合部７５Ｂに接するまで押し入れ可能に構成してあることから、当該雌部材Ｂにおける第２係合部７５Ｂに弾性係合片２０が係合されている際にも、また、当該弾性係合片２０が前記第１係合部７５Ａに係合されている際にも、前記解除部材Ｃによる当該係合の解除をなすことができる。（図３３及び図３４参照）
【００８９】
かかる雄部材Ａと雌部材Ｂとは、帯状体Ｄの一端側を取り付けられた雌部材Ｂに、当該帯状体Ｄの他端側を長さ調節可能に取り付けた雄部材Ａを差し込み係合状態とすると共に当該帯状体Ｄの端部を引き締めることによって、例えば、複数個の食品収納容器Ｅなどを相互に一体に連結した緊締状態とするように用いることができる。
【００９０】
かかる雄部材Ａと雌部材Ｂとの係合状態を、該雌部材Ｂにおける第１係合部７５Ａに対する弾性係合片２０の係合とすることによって、この雄部材Ａに掛け回されている前記帯状体Ｄが引き締め方向と、緩み出し方向のいずれにも操作可能とされる。
【００９１】
また、かかる雄部材Ａと雌部材Ｂとの係合状態を、雌部材Ｂにおける第２係合部７５Ｂに対する弾性係合片２０の係合とすることによって、雄部材Ａにおける帯状体Ｄの掛け回しに用いられている掛け回し軸部１４が、当該掛け回し軸部１４の軸線の向きで、その両面を覆い板部６１で覆うように筒状カバー部６０内に納め入れられ、この掛け回し軸部１４に掛け回されている帯状体Ｄの緩み戻し側に向けた操作が阻止される。
【００９２】
また、かかる雄部材Ａと雌部材Ｂとの係合は、当該雄部材Ａにおける弾性係合片２０の係合凸部２２を第１係合部７５Ａに係合している状態においても、また、当該弾性係合片２０の係合凸部２２を第２係合部７５Ｂに係合している状態においても、当該筒状部４０に対する弾性係合片２０の差し込み側と反対の側からの解除部材Ｃの押し込み操作による該弾性係合片２０の撓め操作によって解くことがで、しかも、当該雄部材Ａと雌部材Ｂとの係合の解除による荷ほどきを当該解除部材Ｃを有する取扱者のみに限定することができる。
【００９３】
（２）第２の実施の形態に係るバックル
以下、図３６〜図７１に示される第２の実施の形態に係るバックルについて具体的に説明をする。
【００９４】
この第２の実施の形態に係るバックルは、雄部材Ａの弾性係合片２０の係合に供される雌部材Ｂの筒状部４０内に備えられる案内部７４と係合部７５とが向き合っている側板部４３の夫々に連続して備えられた一組のものとして構成されている点、解除部材Ｃを構成する操作部８４が差入れ部８０に対して略直角の向きに屈曲して備えられている点などの相違点を除いて、前記第１の実施の形態に係るバックルと実質的に同一の構成としてある。従って、実質的に同一の構成部分については同一の番号を付してある。
【００９５】
この第２の実施に形態に係るバックルは、前記第１の実施の形態に係るバックルと同様に、帯状体Ｄの一端側に取付け用いられる雄部材Ａと、該帯状体Ｄの他端側に取付け用いられる雌部材Ｂとを、この雌部材Ｂの筒状部４０内に備えられる係合部７５に該雄部材Ａにおける弾性係合片２０を係合させることによって、当該帯状体Ｄ相互を連結状態にして用いると共に、この帯状体Ｄを連結状態にした雄部材Ａと雌部材Ｂとの係合の解除を当該雌部材Ｂ内に差し込まれる解除部材Ｃによる当該筒状部４０内にある弾性係合片２０の撓め操作による構成としてある。
【００９６】
即ち、筒状部４０と帯状体Ｄの取付け部５０とを有する雌部材Ｂと、帯状体Ｄの取付け部１０と前記雌部材Ｂにおける筒状部４０の一方の側から該筒状部４０内に差し込まれる弾性係合片２０とを有する雄部材Ａと、前記雌部材Ｂにおける筒状部４０の他方の側から該筒状部４０内に抜き差し可能に差入れられる差入れ部８０を備えた解除部材Ｃとを有し、
前記雌部材Ｂが、この雌部材Ｂの筒状部４０内差入れられる前記弾性係合片２０を該差入れに伴って撓ませる案内部７４と該弾性係合片２０の弾み戻し係合される係合部７５とを該筒状部４０内に備えており、
前記解除部材Ｃの差入れ部８０が、この差入れ部８０を前記筒状部４０内に差入れた際に、前記係合部７５に係合されている前記弾性係合片２０に当接して、該弾性係合片２０を前記係合部７５との係合を解く向きに撓ませる案内面８２ｃを備えており、
前記雄部材Ａと前記雌部材Ｂとが、該雄部材Ａにおける前記弾性係合片２０の前記筒状部４０に対する該筒状部４０の一方の側からの差入れに伴う該弾性係合片２０と前記係合部７５との係合によって係合され、且つ、該筒状部４０の他方の側からの前記解除部材Ｃの差入れ部８０の差入れによる前記弾性係合片２０と前記係合部７５との係合の解除によって該雄部材Ａと該雌部材Ｂとの係合が解かれる構成としてある。
【００９７】
この第２の実施の形態に係るバックルを構成する雄部材Ａは、より具体的には帯状体Ｄを長さ調節可自在に取り付けると共に手指による把持操作などに用いられる取付け部１０と、この取付け部１０から一体に延設されている弾性係合片２０及びガイドロッド３０を備えた構成としてあり、これらが略同一の平面内に備えられる構成としてあり、例えば、型成形されるプラスッチク成形品などとして用意される。
【００９８】
この雄部材Ａを構成する取付け部１０は、一端側でやや拡がるように互いに向き合って備えられる一対の長方形状をなす側板部１１と、この側板部１１における互いに近付いた側の該側端間を接続するように備えられる掛け回し側板部１２と、この掛け回し側板部１２に向き合うように前記側板部１１の他方の側端間を接続するように該側板部１１からやや外方に突き出すようにして備えられる差込み側基板部１３とを略環枠状をなすように構成してあると共に、この互いに向き合って備えられている側板部１１間に亙るように掛け回し軸部１４が設けてあり、この掛け回し軸部１４と掛け回し側板部１２との間を帯状体Ｄの挿通される外側挿通空間１５とし、また、この掛け回し軸部１４と前記差込み側基板部１３との間を当該帯状体Ｄの挿通される内側挿通空間１６としてある。
【００９９】
このように構成される取付け部１０は、互いに向き合って備えられる長方形状をなす一対の側板部１１の板幅内（図５９における上下方向の幅内）に収まるように前記差込み側基板部１３及び掛け回し側板部１２と掛け回し軸部１４とを備えた構成としてあり、追って説明する雌部材Ｂにおける筒状カバー部６０内に当該取付け部１０における少なくとも掛け回し軸部１４が、該掛け回し軸部１４に帯状体Ｄを掛け回した状態で覆い板部６１によって、その軸線の向きで、両側から覆われ得るように当該取付け部１０の差込み側基板部１３の側が都合よく納め入れ得る形態に構成してある。
【０１００】
この雄部材Ａに備えられる取付け部１０にあっては、この取付け部１０に対して帯状体Ｄを締め込み、並びに緩み出し可能に取付け得る構成としてあり、この取付け部１０を構成する側板部１１における幅方向（図５９における上下方向）の一方の幅側に位置するように前記掛け回し軸部１４を設けると共に、前記掛け回し側板部１２における当該掛け回し軸部１４の側を、前記側板部１１の幅方向において該掛け回し軸部１４の備付けと反対の側に突き出すように備えられる構成としてあり、この側板部１１における板幅方向において互いに離された位置に備えられている掛け回し軸部１４における掛け回し側板部１２側にある側縁と、掛け回し側板部１２における掛け回し軸部１４側にある側縁とが、この取付け部１０の備えられる雄部材Ａにおけるガイドロッド３０の軸線方向（図５９における左右方向）において極力近付くように設けてある。特に、この図示例にあっては、この掛け回し側板部１２における掛け回し軸部１４側にある先端縁１２ｃと、掛け回し軸部１４における掛け回し側板部１２側にある摺接面１４ｃとを通る仮想の面が、雄部材Ａの雌部材Ｂに対する差し込み方向（図５９における左右方向）に直交する面、即ち、当該雄部材Ａを構成するガイドロッド３０の軸線に直交する面となるように構成してある。
【０１０１】
ここで取付け部１０を構成する掛け回し軸部１４は、側板部１１における幅側の一方の端面（図５９における側板部１１の下端面）に略面一の状態で、該側板部１１間に亙って備えられる摺接面１４ａと、この摺接面１４ａにおける前記掛け回し側板部１２側にある側縁１４ｂから略直角に屈曲して当該側板部１１における幅方向の他方側に向けて延びるように備えられる摺接面１４ｃと、前記側縁１４ｂと反対側にある摺接面１４ａの側縁１４ｄから前記差込み側基板部１３の側を向き、しかも、前記側板部１１の幅方向の他方側に向けて傾斜する摺接面１４ｅと、この摺接面１４ｅに摺り移動可能に掛け回される帯状体Ｄが摺接されることなく、前記掛け回し側板部１２に案内し得るように当該摺接面１４ｅから屈曲して連続されている屈曲面１４ｆと、この屈曲面１４ｆ及び前記摺接面１４ｃとの間に備えられる屈曲面１４ｇとを備えた構成としてある。
また、前記摺接面１４ａには、該面の幅側に亙るように備えられた溝とリブとを該摺接面１４ａの長手側に亙って連続して備えるようにした凹凸面１４ｈが設けてある。
【０１０２】
また、この掛け回し軸部１４に掛け回される帯状体Ｄを当該帯状体Ｄと協働して、所定の掛け回し位置に停止状態とし、また、当該停止状態にある係合を解いて当該掛け回し軸部１４に掛け回されている帯状体Ｄを緩み側に向けて摺り移動させると共に、当該掛け回し軸部１４に掛け回されている帯状体Ｄを締め込み側に向けて引き絞り移動を可能とする掛け回し側板部１２は、前記側板部１１間に備えられる屈曲した板状体として構成してあり、この互いに向き合った側板部１１における差込み側基板部１３と反対の側にある該側板部１１の幅方向における略中間位置にあって、該側端から一端側を外方に僅かに突き出すように前記ガイドロッド３０の軸線と同一方向に向けて延びるように備えられる操作板部１２ａと、この操作板部１２ａにおける掛け回し軸部１４側から、差込み側基板部１３に向け、しかも、前記側板部１１の幅方向において掛け回し軸部１４の備えられている側と反対の側に向けて斜めに延設された支持板部１２ｂとを備えた構成としてある。
【０１０３】
この図示例に係る取付け部１０を構成する掛け回し側板部１２は、前記掛け回し軸部１４と協働して、当該掛け回し軸部１４に掛け回されるように外側挿通空間１５及び内側挿通空間１６に挿通された帯状体Ｄに対して、当該帯状体Ｄの締め込み停止、並びに緩み戻し機能とを確実にもたらし得るように、前記支持板部１２ｂの先端縁１２ｃが、当該取付け部１０の備えられ構成される雄部材Ａにおけるガイドロッド３０の軸線方向にあって、極力掛け回し軸部１４の側に近接した状態としてあると共に、この支持板部１２ｂの先端部側を、前記摺接面１４ａと反対の側にある側板部１１における幅側の側端面に略面一且つ平行に備えられる摺接面１２ｄと、前記操作板部１２ａの側から前記屈曲面１４ｇに向き合い、且つ、該屈曲面１４ｇに略平行とされる傾斜面１２ｅとを有し、この傾斜面１２ｅと摺接面１２ｄとによって、該支持板部１２ｂの先端縁１２ｃが鋭角な突き出し端となるように構成してある。
また、前記摺接面１２ｄには、該面の先端縁１２ｃ側を残すようにして、該面１２ｄの幅方向を向いて設けられた溝とリブとを、該面１２ｄの長手側に亙って連続して備えた凹凸面１２ｆが設けてある。
【０１０４】
かくして構成される取付け部１０にあっては、例えば、内側挿通空間１６に対して、側板部１１の幅方向（図５９における上下方向）において掛け回し軸部１４の備えつけ側と反対の側から帯状体Ｄの先端側Ｄａを差入れ、且つ、当該帯状体Ｄを掛け回し軸部１４に掛け回すようにして外側挿通空間１５に差入れ、これを引き出すと共に、この引き出し帯状体Ｄの先端側Ｄａを当該帯状体Ｄにおける前記内側挿通空間１６の外方にある帯状体Ｄに重ね合わせの状態とし、これらを前記掛け回し側板部１２における摺接面１２ｄに沿うように取付け部１０から外方に引き出すことによって、帯状体Ｄを当該取付け部１０に対して長さ調節可能に取付け用いることができる。（図６６参照）
【０１０５】
次いで、この雄部材Ａを構成する弾性係合片２０は、前記取付け部１０を構成する側板部１１間に備えられる差込み側基板部１３の両側部から該側板部１１と反対の側に向けて、互いに同一の平面内に延びるように該側板部１１と平行な態様に突き出すように設けてあり、また、この一対の弾性係合片２０と平行な態様で前記差込み側基板部１３の略中央部分からガイドロッド３０が一体に突設してあり、この差込み側基板部１３と該差込み側基板部１３から突設されている弾性係合片２０及びガイドロッド３０とが、雌部材Ｂにおける筒状部４０に対して抜き差し可能に納め入れ得るように略同一の平面内に位置付けられる差し込み部として構成してある。
【０１０６】
なお、ここで、弾性係合片２０及びガイドロッド３０の備えられる差込み側基板部１３は、前記側板部１１における側端面間を結ぶように該側板部１１の側端から外方に突き出した態様に設けてあり、前記側板部１１の内側に段差面１１ａを生ずるように該側板部１１における板幅（図５９における上下方向の幅）以内に収まる形態に設けてある。
【０１０７】
かかる差込み側基板部１３に備えられる弾性係合片２０は、この差込み側基板部１３の両側部から側板部１１と反対の側に向けて該側板部１１の延長方向に延びるように設けられた弾性ロッド部２１と、この弾性ロッド部２１の先端側に備えられている係合凸部２２及び案内板部２３とを備えた構成としてある。
【０１０８】
この弾性係合片２０に備えられている弾性ロッド部２１は、前記側板部１１間を連続するように備えられている差込み側基板部１３の両側部から互いに向き合って平行に突設される断面四角形状をなす直棒状の形態としてあり、この側板部１１の先端面から、該側板部１１の延長方向に向けて該側板部１１の先端に段差面１１ｂを生ずるように該先端面のやや内側に寄って設けてあると共に、互いに向き合っている側と反対側の面が、その基部側から先端側に向けてガイドロッド３０の側に漸次近付く傾斜外側面２１ａとなるように構成してある。
【０１０９】
かかる弾性係合片２０に備えられる係合凸部２２は、前記弾性ロッド部２１の先端側にあって、前記傾斜外側面２１ａから外方、即ち、ガイドロッド３０の備えられている側と反対の側に突き出す構成としてある。
【０１１０】
この弾性係合片２０を構成する係合凸部２２は、夫々の弾性係合片２０、２０に略対象の形態に備えられるものであって、前記弾性ロッド部２１における傾斜外側面２１ａ及びこれと反対の側にある内面２１ｂとの間の面２１ｃ（図５６における上下の面）に面一の状態で連続した一対の平行な面２２ａ，２２ａを備えていると共に、前記弾性ロッド部２１の側に前記傾斜外側面２１ａに対して内折れ状態に鋭角に屈曲して外方に突き出すように連続されている係合面２２ｂと、この係合面２２ｂの先端から該係合凸部２２の先端側に向けて、やや外向きに突き出すように鋭角に屈曲して連続される傾斜外側面２２ｈと、この傾斜外側面２２ｈから弾性係合片２０、２０間で互いに平行となるように延設されている外側面２２ｉと、この外側面２２ｉから該係合凸部２２の係合凸部端２２ｑに向けて弾性係合片２０、２０間で互いに近付くように延設されている傾斜案内面２２ｊと、前記内面２１ｂに対して鈍角に屈曲してガイドロッド３０側に突き出すように連続される内側傾斜面２２ｋと、この内側傾斜面２２ｋから先端側に向けて弾性係合片２０、２０間で互いに平行となるように延設されている内側平行面２２ｍと、この内側平行面２２ｍから弾性係合片２０、２０間で互いに離れる側に傾斜して延設される内側傾斜面ｎと、この内側傾斜面２２ｎから前記係合凸部端２２ｑに向けて弾性係合片２０、２０間で互いに平行となるように延設される内側平行面２２ｐとを備えた構成としてある。
【０１１１】
かかる係合凸部２２は、この係合凸部２２の先端側に案内板部２３を一体に備えた構成としてある。
この係合凸部２２に備えられる案内板部２３は、該係合凸部２２における平行な面２２ａ、２２ａに対して夫々平行な面２３ａ、２３ａを備えるように該面２２ａ、２２ａの略中間位置にあって、主として該係合凸部２２における前記内側傾斜面２２ｋに連続している内側平行面２２ｍから前記係合凸部端２２ｑに至る間の内側、即ち、前記ガイドロッド３０の側に向け、しかも、先端側を該係合凸部端２２ｑから前方に突き出すように該係合凸部２２から一体に突き出すように設けてある。
【０１１２】
この係合凸部２２に備えられる案内板部２３は、前記係合凸部端２２ｑから傾斜案内面２２ｊの延長面方向に延びる傾斜案内面２３ｈと、前記内側傾斜面２２ｋの延長面方向に延びる傾斜縁２３ｅと、この傾斜縁２３ｅから先端側に向け、しかも、弾性係合片２０、２０間で、互いに平行となるように延設される内縁２３ｅ’と、この内縁２３ｅ’から弾性係合片２０、２０間で互いに離れるように延設される段差縁２３ｆと、この段差縁２３ｆから先端側に向け、しかも、弾性係合片２０、２０間で互いに平行となるように延設される内縁２３ｅ”と、この内縁２３ｅ”と前記傾斜案内縁２３ｈとを結ぶ前記差込側基板部１３に平行とされる先端縁２３ｇとを備えた構成としてある。
【０１１３】
また、前記傾斜外側面２１ａと係合面２２ｂとが連続される屈曲縁２２ｇを通る前記内面２１ｂに平行な仮想面に対して、該内面２１ｂに平行で、しかも、前記案内板部２３の先端縁２３ｇと傾斜案内縁２３ｈとの交差する点を通る仮想面が該内面２１ｂの側に位置するように構成してある。
【０１１４】
ここで弾性係合片２０に備えられている係合凸部２２と案内板部２３は、追って説明する解除部材Ｃによって、雌部材Ｂの係合部７５に係合されている弾性係合片２０を当該係合部７５から解放し得る構成を備えたものとしてあり、この実施の形態に係る弾性係合片２０にあっては、前記係合面２２ｂから、これに連続して備えられている傾斜外側面２２ｈ、外側面２２ｉ、傾斜案内面２２ｊ、傾斜案内縁２３ｈによって構成される面ないし縁が、この縁ないし面に接して案内される解除部材Ｃにおける案内面８２ｃと協働して、係合部７５に係合されている弾性係合片２０を、その係合を解く位置まで撓め得る構成としてある。
【０１１５】
かかる係合凸部２２に備えられる案内板部２３は、前記係合凸部２２における面２２ａ、２２ａ間にあって、この各面２２ａ、２２ａと平行な面２３ａ、２３ａを備えると共に、この面２２ａ、２３ａ間に段差面２４を生ずるように当該係合凸部２２の前端部側の内側に、その先端側を前方に突き出すように一体に設けてある。
【０１１６】
かかる一対の弾性係合片２０間にあって、前記差込み側基板部１３から一体に突設状態に備えられるガイドロッド３０は、断面が略四角形状をなす棒状体として構成してあると共に、弾性係合片２０に向き合っている側面３０ａ側の先端部に該ガイドロッド３０の先端面３０ｂから該ガイドロッド３０の突設基部方に向けて漸次突き出し、しかも、該基部方端において該ガイドロッド３０の側面３０ａに向けて落ち込む段差縁３１ａを備えた三角形の翼片状をなすガイド突片３１を有する構成としてある。
【０１１７】
また、この差込み側基板部１３に備えられるガイドロッド３０は、前記側面３０ａ、３０ａ間にある面３０ｄ、３０ｄに溝状部３０ｅ、３０ｅを夫々備えた構成としてあると共に、この側面３０ａの幅寸法（図５６における上下方向の幅寸法）が前記側板部１１の板幅以内とされ、しかも、前記弾性係合片２０の弾性ロッド部２１における各両面２１ｃ、２１ｃ間の寸法よりもやや大きくなるように構成してあり、前記差込み側基板部１３から立ち上がるようにして備えられて該差込み側基板部１３の幅よりも幅広となる構成としてある。
【０１１８】
また、このガイドロッド３０の突き出し寸法を、前記弾性係合片２０における先端縁２３ｇが、このガイドロッド３０における先端面３０ｂを含む該差込み側基板部１３に平行な仮想面よりも該差込み側基板部１３の側に位置付けられるように該弾性係合片２０の突き出し寸法よりもやや長めに構成してある。
また、前記の構成に係る雄部材Ａは、雌部材Ｂの筒状部４０内に当該雄部材Ａにおける弾性係合片２０を押し入れ、この雌部材Ｂに備えられている案内部７４によって撓め、又は、当該雌部材Ｂ内に差し込まれている弾性係合片２０を解除部材Ｃによって撓めた際に、この弾性係合片２０における前記段差縁２３ｆと内縁２３ｅ”とが構成する凹欠状部内に、前記ガイドロッド３０におけるガイド突片３１が納まるように構成してある。
【０１１９】
かかる雄部材Ａに対応して用いられる雌部材Ｂは、一端側から前記雄部材Ａにおける弾性係合片２０などが差入れ係合されると共に、他端側から追って説明する解除部材Ｃの差入れられる筒状部４０と、この解除部材Ｃの抜き差しされる筒端側に連続して備えられている帯状体Ｄの取付け部５０と、前記雄部材Ａにおける弾性係合片２０などの差入れられる筒端から延設状態に備えられている覆い板部６１を有する筒状カバー部６０と備えた構成としてあり、例えば、型成形されるプラスチック成形品などとして用意される。
【０１２０】
先ず、この雌部材Ｂを構成する筒状部４０は、対をなし、しかも、互いに平行状態に向き合う第１側板部４３ａと、この第１側板部よりも互いの間隔を離して平行状態で向き合って備えられる第２側板部４３ｃと、この第１側板部４３ａと第２側板部４３ｃとの間を連絡するように備えられる傾斜側板部４３ｂとを一連に備えた比較的細幅をなす側板部４３、４３と、この互いに向き合って備えられる側板部４３、４３における一方の長手縁に亙って備えられる第１板部４１と、この第１板部４１と同寸、同形状で、該第１板部４１に平行となるように、前記側板部４３における長手側縁の他方縁に亙って備えられる第２板部４２とによって、一端側に互いの間隔をやや狭めて平行に備えられた第１側板部４３ａ，４３ａにより構成される狭幅部４０’を有すると共に、互いの間隔をやや離して平行に備えられる第２側板部４３ｃ、４３ｃにより構成される拡幅部４０”を備えた両端開口の、且つ、断面が扁平な四角形状の筒状体として構成してある。
【０１２１】
また、この筒状部４０における一方の筒端、より具体的には、雄部材Ａにおける弾性係合片２０などの差し込まれる前記狭幅部４０’側の筒端に前記各側板部４３から一旦外方に突き出すように屈曲して備えられる段差状張出し板部６２ｃを介して夫々の側板部４３と平行になるように該段差状張出し板部６２ｃから一連に延設された側板部６２と、前記第１板部４１と第２板部４２の夫々の側端から、この第１板部４１及び第２板部４２から一旦外方に突き出すように屈曲して備えられる段差状張出し板部６１ａを介して夫々該第１板部４１及び第２板部４２と平行となるように該段差状張出し板部６１ａから一体に延設状態に設けられた覆い板部６１とを備えた筒状カバー部６０が設けてある。
【０１２２】
なお、ここで筒状部４０に一連に備えられる筒状カバー部６０は、その筒状カバー部６０内が、筒状部４０における狭幅部４０’内よりも拡室状態に構成してあり、狭幅部４０’における第１板部４１及び第２板部４２と覆い板部６１とが連続される内側部分に段差面６１ｂを、また、側板部６２と側板部４３とが連続される内側部分に段差面６２ｂを備えた構成としてある。
また、この筒状カバー部６０を構成する側板部６２には、その先端側から該側板部６２の突き出し基部側に向けて開口側がやや拡開されたＵ字状をなす凹欠部６３が設けてある。
【０１２３】
この筒状部４０における前記雄部材Ａの弾性係合片２０などの差し込まれる筒端側に備えられる筒状カバー部６０は、筒状部４０内の係合部７５に対して前記雄部材Ａにおける弾性係合片２０が差し込み係合された際に、この筒状カバー部６０内に雄部材Ａにおける取付け部１０の少なくとも掛け回し軸部１４を、この掛け回し軸部１４に帯状体Ｄを掛け回した状態で、その軸線方向で、少なくとも、該筒状カバー部６０を構成する覆い板部６１によって両面から覆い隠し得るように受け入れ得る構成としてある。
【０１２４】
また、この筒状カバー部６０に連続して備えられる筒状部４０は、この筒状カバー部６０に連続する側、即ち、前記第１側板部４３ａの側において、この各第１側板部４３ａ、４３ａ間の間隔を、前記雄部材Ａにおける一対の弾性係合片２０、２０における外側面２２ｉ，２２ｉ間の間隔よりもやや狭い構成としてあり、この筒状部４０を構成する第１側板部４３ａの開口側縁に当該弾性係合片２０における傾斜案内縁２３ｈなどが接し撓められながら、この筒状部４０内に雄部材Ａにおける弾性係合片２０、２０が差し込まれ得る構成としてある。
【０１２５】
また、この筒状部４０に備えられる狭幅部４０’は、前記筒状カバー部６０の側から差し込まれる雄部材Ａにおける側板部１１の差し込み側にある各段差面１１ｂを前記段差面６１ｂ、６２ｂに近接するように該雄部材Ａの弾性係合片２０を筒状部４０内に差し込んだ際に、この弾性係合片２０における係合凸部２２が、この狭幅部４０’から拡幅部４０”内に位置付けられて係合部７５に係合される奥行き幅を備えたものとして構成してある。
【０１２６】
また、この狭幅部４０’の内奥側に備えられる拡幅部４０”は、この拡幅部４０”を構成する第２側板部４３ｃ、４３ｃ間に、前記雄部材Ａにおける弾性係合片２０、２０が、この各第２側板部４３ｃの面によって撓められることなく納め入れられる広さを備えたものとして構成してある。
【０１２７】
また、この雌部材Ｂを構成する筒状部４０における他方の筒端側、即ち、前記筒状カバー部６０の備えられている側と反対の筒端側には、前記各側板部４３に連続して該側板部４３から該側板部４３の延長方向に突き出すように一対の側板部５１が向き合って備えられており、この側板部５１における前記第１板部４１の側に、該第１板部４１との間に挿通スリット５３を構成するように、当該側板部５１、５１の幅側端上に亙って備えられる掛け回し板部５２が、該第１板部４１の構成する筒内面のなす仮想面よりも外方に位置付けられるように設けてあり、この掛け回し板部５２の両端部が前記第１板部４１上に至る屈曲部５２ａとして当該挿通スリット５３の両端部分を囲む構成としてある。
【０１２８】
この雌部材Ｂに備えられる取付け部５０は、更に具体的には、掛け回し板部５２に掛け回される帯状体Ｄが筒状部４０に対する解除部材Ｃの差入れ部８０の抜き差しの妨げとならないように該掛け回し板部５２が、前記第１板部４１の両側から同面状に延設状態に備えられる一対の補強隆起部５１ａの外面側に亙って備えられる構成とし、この掛け回し板部５２における内側面、即ち、前記筒状部４０における筒内面に連続する側の面を、その両側部に備えられる補強隆起部５１ａによって段差状凹溝面５２ｂとしてあり、この段差状凹溝面５２ｂ内に掛け回される帯状体Ｄを、その厚幅側において極力収め入れ得るように構成してある。
【０１２９】
かかる雌部材Ｂにおける前記筒状部４０には、この筒状部４０の略中央部分において、該筒状部４０内に差し込まれる雄部材Ａにおけるガイドロッド３０を略がたなく収め入れて案内する間隔をおいて一対のガイドリブ７１を第１板部４１に、同様のガイドリブ７１’を第２板部４２に夫々対設状態に設けてある。即ち、この溝状案内部７２を構成する夫々に対をなすガイドリブ７１とガイドリブ７１’とを前記第１板部４１と第２板部４２の夫々の内側から突き出すように設け、しかも、この第１板部４１に備えられている一対のガイドリブ７１と、第２板部４２に備えられている一対のガイドリブ７１’とが、互いに、その先端を向き合わせ、且つ、この先端間がガイドスリット７３を構成するように、互いの先端間を近付けるように夫々第１板部４１及び第２板部４２から突き出し状態に設けた構成としてある。
【０１３０】
かかる第１板部４１におけるガイドリブ７１間と、第２板部４２におけるガイドリブ７１’間とに構成される溝状案内部７２は、前記雄部材Ａにおけるガイドロッド３０が、このガイドリブ７１とガイドリブ７１’との間に構成されるガイドスリット７３間から該ガイドロッド３０におけるガイド突片３１を外方、即ち、側板部４３の側に突き出させるようにして略がたなく収め得る溝幅に構成してあり、他の筒内壁面よりもやや溝状に凹む溝状凹部７２ａを有し、しかも、この溝状凹部７２ａにおけるガイドロッド３０の差し込み側が、該筒状部４０における筒端側に向けて先拡がりの案内凹部７２ａ’としてあると共に、この案内凹部７２ａ’の内奥側位置から該筒状部４０における他方の筒端に向けて前記ガイドリブ７１とガイドリブ７１’とを隆起状に突設した構成としてある。
【０１３１】
また、前記筒状カバー部６０に続く雌部材Ｂの筒状部４０、特に、該筒状部４０における狭幅部４０’を構成する第１側板部４３ａ及び傾斜側板部４３ｂの内側に沿って、前記雄部材Ａの弾性係合片２０を撓ませるように案内する案内部７４と、この案内部７４に撓められながら案内される弾性係合片２０が弾み戻されて係合される係合部７５とを設けるようにしてある。
即ち、前記雄部材Ａにおける一対の弾性係合片２０を筒状部４０内に受け入れた際に、この弾性係合片２０における係合凸部２２に接し、この係合凸部２２を備えた夫々の弾性係合片２０を互いに近付く向きに撓ませる案内部７４と、この案内部７４に案内された弾性係合片２０の係合凸部２２の係合に供される係合部７５を当該側板部４３の内側に連続して設けるように構成してある。
【０１３２】
かかる雄部材Ａにおける弾性係合片２０を撓ませ、且つ、係合に用いられる案内部７４及び係合部７５は、雌部材Ｂにおける筒状部４０の側板部４３の内側に沿って、当該弾性係合片２０の差し込み側に備えられる構成としてある。
【０１３３】
この筒状部４０の互いに向き合った側板部４３、４３の内側面に沿って備えられる案内部７４と係合部７５は互いに向き合った構成としてあり、この側板部４３の内側面の全幅（図４８及び図５１における側板部４３の内側面の上下幅）に亙って、該側板部４３を、弾性係合片２０の差し込み開口側から、その内奥側に向けて漸次互いに近付く向き（図５１における左右方向の向き）に隆起するように構成した隆起部７７’によって構成されている。
【０１３４】
この筒状部４０に備えられる隆起部７７’は、前記側板部４３、４３に互いに向き合って備えられており、第１側板部４３ａにおける筒状部４０の開口端側で低く、内奥側，この図示例にあっては、傾斜側板部４３ｂと第２側板部４３ｃとの連続部側に向けて漸次該側板部４３から隆起した状態に備えられた傾斜面７７’ａと、該傾斜面７７’ａの頂端７７’ｂ、即ち、該傾斜面７７’ａにおける内奥側端から側板部４３の面に向けて、しかも、前記差し込み開口側にやや傾斜するように鋭角に屈曲して備えられる係合段面７７’ｃとを備えた構成としてあり、前記傾斜面７７’ａを案内部７４とし、前記係合段面７７’ｃを係合部７５とした構成としてある。
また、この隆起部７７’における係合段面７７’ｃと側板部４３の内面とが接する部分の側板部４３が、第２側板部４３ｃとなるようにしてあり、前記第１側板部４３ａ、４３ａ間の対設間隔よりも大きな対設間隔を離して平行に対設されている第２側板部４３ｃ、４３ｃによって、この隆起部７７’から筒状部４０の他端側に向けて雄部材Ａの各弾性係合片２０、２０における外側面２２ｉ、２２ｉ間が都合良く納まる幅を備えた拡室状の直筒部分を構成するようにしてある。
【０１３５】
かかる筒状部４０の各側板部４３に備えられる案内部７４は、この側板部４３における第１側板部４３ａの内側に、前記側板部６２との段差面６２ｂから該筒状部４０内に向けて備えられる隆起部７７’の傾斜面７７’ａとして構成され、この案内部７４をなす各傾斜面７７’ａの筒端側縁に該弾性係合片２０の先端部に備えられている傾斜案内縁２３ｈ、傾斜案内面２２ｉなどの先窄まり状部分を接した状態とした後、これを撓み入れの状態に収め入れるように該弾性係合片２０を、該筒状部４０の側板部４３に沿って撓ませながら差し込み、且つ、前記ガイドリブ７１、ガイドリブ７１’間に備えられているガイドスリット７３からガイドロッド３０におけるガイド突片３１を突き出すように溝状案内部７２内にガイドロッド３０を差し込んだ際に、この弾性係合片２０における傾斜案内縁２３ｈ、傾斜案内面２２ｊ、外側面２２ｉ、傾斜外側縁２２ｈが、順次に前記傾斜面７７’ｂに案内され、この弾性係合片２０を撓ませ、この傾斜外側縁２２ｈが案内部７４を構成する傾斜面７７’ａの頂端７７’ｂから係合段面７７’ｃ側に送り込まれることによって、この傾斜外側縁２２ｈを含む係合面２２ｂから先端縁２３ｇの間が、前記弾性ロッド部２１の弾み戻しによって、該係合段面７７’ｃと第２側板部４３ｃとの間に構成される空間内に落とし込まれて、前記係合段面７７’ｃを係合部７５として係合される構成としてある。
【０１３６】
尚、この雌部材Ｂを構成する筒状部４０は、前記溝状案内部７２から、側板部４３の側に向けて第１板部４１と第２板部４２の内面が漸次近寄るように傾斜する傾斜面４１ｂ、４２ｂとしてあると共に、隆起部７７’の傾斜面７７’ａの途中から、該筒状部４０の他方の筒端側に向けて僅かに隆起する台状案内部４１ａ、４２ａを備えた構成としてあり、雄部材Ａにおける弾性係合片２０、ガイドロッド３０などを都合良く受け入れ案内し、しかも、解除部材Ｃにおける差入れ部８０を都合よく受け入れ案内し得る構成としてある。
【０１３７】
このように構成される筒状部４０にあっては、この筒状部４０内に雄部材Ａにおける弾性係合片２０を差し入れ、且つ、この弾性係合片２０における係合凸部２２を該筒状部４０内に備えられている係合部７５に係合状態とした際に、この係合状態にある弾性係合片２０の各外側面２２ｉが第２側板部４３ｃに略がたなく納まる態様とされ、この筒状部４０内において係合状態に当該弾性係合片２０を長期間維持した際にあっても、この弾性係合片２０にクリープ変形などの不具合を生ずることがない。
【０１３８】
この実施の形態に係る雌部材Ｂにあっては、前記案内部７４及び係合部７５を構成する隆起部７７’の隆起内奥側の係合段面７７’ｃと第２側板部４３ｃとの間が、前記弾性係合片２０における係合凸部２２及び案内板部２３、特に、屈曲縁２２ｇを通る該雄部材Ａの差し込み方向（図５４における左右方向）を向いた仮想面から外側にある部分を受け入れ得る形状としてある。
【０１３９】
なお、ここで、弾性係合片２０及びガイドロッド３０を受け入れる筒状部４０は、このガイドロッド３０における面３０ｄを溝状案内部７２の溝底面に沿って略がたなく案内できると共に、弾性係合片２０における面２２ａを前記ガイドリブ７１と側板部４３との間にある第１板部４１及び第２板部４２の夫々の内側面に沿って案内できる構成としてある。
【０１４０】
また、この筒状部４０に差し込まれる弾性係合片２０は、当該弾性係合片２０を筒状部４０内に差し込み、図６６及び図６７に示されるように筒状カバー部６０内に雄部材Ａにおける取付け部１０、特に、この取付け部１０を構成する掛け回し軸部１４を、その軸線方向で、両側から覆い板部６１が覆い隠すように差し込むことによって、この弾性係合片２０を構成する係合凸部２２における傾斜外側面２２ｈが案内部７４を構成する隆起部７７’における傾斜面７７’ａに案内された後、この傾斜面７７’ａの頂端７７’ｂから隆起部７７’の内奥側にある当該係合段面７７’ｃと第２側板部４３ｃとの構成する係合部７５内に当該弾性係合片２０における係合凸部２２を弾み戻すように落とし込み係合し、しかも、この状態で、前記取付け部１０における側板部１１の段差面１１ｂが、前記筒状カバー部６０と筒状部４０との間に備えられている段差面６１ｂ、段差面６２ｂに対して当接可能に近接される構成としてあり、当該雄部材Ａの弾性係合片２０を雌部材Ｂの係合部７５に対して係合維持する構成としてある。
【０１４１】
このように雌部材Ｂの筒状部４０内に差し込み係合される雄部材Ａの弾性係合片２０は、この雌部材Ｂにおける係合部７５に対する係合凸部２２の係合を解く向きに当該弾性係合片２０を撓ませない限り、当該雌部材Ｂから取り外すことができず、雄部材Ａと雌部材Ｂとを確実な係合状態に維持することができる。
【０１４２】
なお、前記筒状部４０を構成する第１板部４１には窓孔９０’を、該筒状部４０の内外を連通するように設けてある。
この第１板部４１に設けられている窓孔９０’は、この窓孔９０’の孔縁から第２板部４２に向けて垂直に延びる仮想面を含むように前記隆起部７７’の係合段面７７’ｃを設けるようにした構成としてあり、当該隆起部７７’を備えた雌部材Ｂの型抜きによプラスチック成形に都合の良い構成としてある。
【０１４３】
かかる雄部材Ａ及び雌部材Ｂの係合を解除する解除部材Ｃは、操作部８４と、この操作部８４の一方の側から略直角に屈曲するように備えられた差入れ部８０とを備えた構成としてあり、この差入れ部８０を、前記雌部材Ｂの筒状部４０における前記雄部材Ａの弾性係合片２０の差し込み側と反対の側から抜き差し可能に差入れ得る構成としてあり、例えば、型成形されるプラスチック成形品などとして用意される。
【０１４４】
かかる解除部材Ｃは、湾曲状基板部８４ｃの両側を差入れ部８０側に屈曲した把持片部８４ｄ、８４ｄとしてあり、この操作部８４の一端側から直角に屈曲するように備えられる差入れ部８０は、この操作部８４側から一体に突設され、しかも、先端側が弧状の凹設縁８１ａとされているベース板部８１及び該ベース板部８１の両側方にあって、先端側を該ベース板部８１から前方に突き出すように設けられた厚板状をなす解除板部８２とを備えた構成としてある。
【０１４５】
かかる解除部材Ｃを構成する差入れ部８０の一対の解除板部８２は、ベース板部８１の両側方にあって該ベース板部８１の両側面から夫々隆起し、しかも、先端側を前記凹設縁８１ａから前方に突き出すように備えられた厚肉部として構成してあり、前記ベース板部８１に平行で、しかも、前記雌部材Ｂにおける筒状部４０内において第１板部４１及び第２板部４２に略がたなく接して差入れられる面８２ｂと、互いに平行で、しかも、前記筒状部４０内の側板部４３の内面に略がたなく接して案内される側面８２ｂと、夫々の先端部から前記ベース板部８１における弧状の凹設縁８１ａに向けて設けられた傾斜状の案内面８２ｃとを備えた構成としてあり、この一対の解除板部８２は、夫々の面に凹部８３を設けた構成としてある。
【０１４６】
また、この解除部材Ｃは、その差入れ部８０を構成する解除板部８２の面８２ａに続く先端面が面取り状の面８２ｄとしてあると共に、面８２ｂと案内面８２ｃとの間が曲面８２ｅとして構成してある。
【０１４７】
このように構成される解除部材Ｃは、その差入れ部８０を雌部材Ｂの筒状部４０に対して、当該筒状部４０における弾性係合片２０の差し込み側と反対の側から抜き差し可能とされており、前記筒状部４０内に差し込まれると共に係合部７５に係合されている弾性係合片２０を、この弾性係合片２０における係合凸部２２を該雌部材Ｂにおける係合部７５から解放する向きに撓ませる機能を備えている。
【０１４８】
かかる雌部材Ｂの係合部７５に対する雄部材Ａにおける弾性係合片２０の係合凸部２２の係合を解く向きに向けた撓め操作に用いられる解除部材Ｃは、この雌部材Ｂの筒状部４０内に、この筒状部４０の側板部４３の内面に側面８２ｂを接して解除部材Ｃにおける解除板部８２を差入れた際に、この解除板部８２における傾斜状態に備えられる案内面８２ｃが該雌部材Ｂの筒状部４０内において係合部７５に係合されている雄部材Ａにおける弾性係合片２０の案内板部２３、特に、この案内板部２３の傾斜案内縁２３ｈに接する構成としてあり、この解除部材Ｃに備えられる前記傾斜状態にある案内面８２ｃが、係合状態にある弾性係合片２０の係合部７５に対する係合を解除する位置まで当該弾性係合片２０を撓ませる構成を備えたものとしてある。
即ち、当該解除部材Ｃを筒状部４０内に押し入れ、且つ、この傾斜状態に備えられる案内面８２ｃ内に弾性係合片２０の先端側、例えば、傾斜案内縁２３ｈ、傾斜案内面２２ｊ、外側面２２ｉ、傾斜外側面２２ｈなどを収め入れて、この弾性係合片２０を撓ませ、筒状部４０内の係合部７５に係合されている弾性係合片２０を、当該係合部７５から解放し得る構成としてある。（図６８〜図７０参照）
【０１４９】
また、この解除部材Ｃの差入れられる雌部材Ｂの筒状部４０は、この解除部材Ｃの差入れ側にあって、当該解除部材Ｃの先端が前記係合部７５を構成する隆起部７７’の係合段面７７’ｃに接する位置まで押し入れ可能に構成してあり、前記係合部７５に係合凸部２２を係合させた状態で、該隆起部７７’から更に当該筒状部４０の内奥側に突き出されている弾性係合片２０における前記部分に対し、これを解除部材Ｃにおける解除板部８２の傾斜状に備えられている案内面８２ｃ内に取り入れると共に、この解除部材Ｃを、係合部７５に係合されている弾性係合片２０が、その係合を解かれる状態に至るまで押し入れ得る構成としてある。
【０１５０】
このように構成されるバックルにあっては、雌部材Ｂの取付け部５０における掛け回し板部５２に対してベルトなどの帯状体Ｄの一端側を掛け回して当該帯状体Ｄを重ね合わせの状態に逢着して取り付けると共に、この帯状体Ｄの他端側を、雄部材Ａを構成する取付け部１０の掛け回し側板部１２における摺接面１２ｄの側方から内側挿通空間１６を通して掛け回し軸部１４に掛け回すと共に該帯状体Ｄの先端側Ｄａを摺接面１４ｃから外側挿通空間１５を通して、先に摺接面１２ｄの外方に案内した帯状体Ｄと当該摺接面１２ｄとの間から側方に引き出すようにして当該帯状体Ｄを雄部材Ａに対して長さ調節可能に取り付ける。
【０１５１】
このように一端側に雄部材Ａを、他端側に雌部材Ｂを夫々取り付け用意した帯状体Ｄを、各種の物品、例えば、この図示例にあっては、閉蓋状態とされた複数個の食品収納容器Ｅに掛け回すと共に、雌部材Ｂの筒状部４０に対して雄部材Ａの弾性係合片２０を差入れて、この弾性係合片２０における係合凸部２２を筒状部４０に備えられている係合部７５に係合して帯状体Ｄの取り付けをなす。
【０１５２】
かかる雄部材Ａと雌部材Ｂとの係合は、該雌部材Ｂにおける筒状カバー部６０側からの雄部材Ａにおける弾性係合片２０の差し入れによってなされる。
【０１５３】
この筒状部６０に対する雄部材Ａの弾性係合片２０の差し入れ係合は、筒状部６０に備えられているガイドリブ７１、７１’間に雄部材Ａにおけるガイドロッド３０を、このガイドロッド３０におけるガイド突片３１を前記ガイドリブ７１、７１’におけるガイドスリット７３間から突き出させるように差し入れ、且つ、この弾性係合片２０の案内板部２３における傾斜案内縁２３ｈ及びこれに連続される傾斜案内面２２ｊを筒状部４０の第１側板部４３ａの段差面６２ｂから隆起部７７’の傾斜面７７’ａに弾性的に接するように差し入れ、この隆起部７７’の傾斜面７７’ａとの協働によって、当該弾性係合片２０相互に互いに近付く向きに弾性的に撓ませるようにして当該筒状部４０内に押し入れると共に、この隆起部７７’の傾斜面７７’ａに接している係合凸部２２の傾斜外側面２２ｈが該傾斜面７７’ａから外れ出し、その係合凸部２２を、頂端７７’ｂから係合段面７７’ｃに沿って該筒状部４０の内奥側に落とし込ませるように弾み戻される弾性係合片２０の当該弾み戻しによって，該隆起部７７’の係合段面７７’ｃと第２側板部４３ｃの内側面との間に構成される係合部７５に当該弾性係合片２０の係合凸部２２を係合してなされる。
【０１５４】
また、かかる雌部材Ｂの筒状部４０の係合部７５に対する雄部材Ａにおける弾性係合片２０の係合によって、当該雄部材Ａにおける側板部１１の段差面１１ｂが雌部材Ｂの筒状部４０における段差面６１ｂ、６２ｂに当接可能に近接され、しかも、該雄部材Ａにおける帯状体Ｄを掛け回された掛け回し軸部１４が、この掛け回し軸部１４における軸線の向きで、覆い板部６１によって覆われた態様とされる。
また、このような雄部材Ａと雌部材Ｂとの係合状態において、この係合状態にある雄部材Ａと雌部材Ｂの係合の解除は、この実施の形態に係るバックルにあっては、該係合状態にある雌部材Ｂにおける筒状部４０に対する弾性係合片２０の差込側と反対の側からの解除部材Ｃの差込に操作による当該弾性係合片２０の撓み操作による前記係合部７５からの解き放しとされ、しかも、この係合部７５に対する弾性係合片２０の係合状態において、雄部材Ａにおける掛け回し軸部１４に掛け回されている帯状体Ｄは、前記覆い板部６１によって、その緩み側に向けた操作が防止される構成とされる。
【０１５５】
かかる係合状態にある雄部材Ａと雌部材Ｂとの係合の解除は、この雌部材Ｂにおける筒状部４０に対する前記弾性係合片２０の差込側と反対の側からの解除部材Ｃの差し入れ、特に、該筒状部４０における側板部４３の筒内壁面に沿った解除板部８２の差し入れによって、この解除板部８２における案内面８２ｃを、雄部材Ａの前記弾性係合片２０における案内板部２３の傾斜外側面２３ｈ、傾斜案内面２２ｊ、外側面２２ｉ、傾斜外側面２２ｈに順次接しさせ、この案内面８２ｃとの協働によって、該弾性係合片２０相互を互いに近付ける向きに撓め、前記係合部７５の係合段面７７’ｃに係合されている係合凸部２２の係合を解くことによってなされる。
【０１５６】
かかる雄部材Ａと雌部材Ｂとは、帯状体Ｄの一端側に取り付けられた雌部材Ｂに、当該帯状体Ｄの他端側を長さ調節可能に取り付けた雄部材Ａを差し込み係合状態とすることによって、例えば、複数個の食品収納容器Ｅなどを相互に一体に連結した緊締状態とするように用いることができる。
また、かかる雄部材Ａと雌部材Ｂとの係合状態において、雄部材Ａにおける掛け回し軸部１４に掛け回されている帯状体Ｄの緩み戻し側に向けた操作が阻止される。
また、かかる雄部材Ａと雌部材Ｂとの係合が、当該筒状部４０に対する弾性係合片２０の差し込み側と反対の側からの解除部材Ｃの押し込み操作による該弾性係合片２０の撓め操作によって解かれるようにしてあり、当該雄部材Ａと雌部材Ｂとの係合の解除による荷ほどきを当該解除部材Ｃを有する取扱者のみに限定することができる。
【０１５７】
【発明の効果】
この発明に係るバックルは、筒状部と帯状体の取付け部とを有する雌部材と、帯状体の取付け部と前記雌部材における筒状部の一方の側から該筒状部内に差し込まれる弾性係合片とを有する雄部材と、前記雌部材における筒状部の他方の側から該筒状部内に抜き差し可能に差入れられる差入れ部を備えた解除部材とを有し、前記雌部材が、この雌部材の筒状部内に差入れられる前記弾性係合片を該差入れに伴って撓ませる案内部と該弾性係合片の弾み戻し係合される係合部とを該筒状部内に備えており、前記解除部材の差入れ部が、この差入れ部を前記筒状部内に差入れた際に、前記係合部に係合されている前記弾性係合片に接して、該弾性係合片を前記係合部との係合を解く向きに撓ませる案内面を備えており、
前記雄部材と前記雌部材とが、該雄部材における前記弾性係合片の前記筒状部に対する該筒状部の一方の側からの差入れに伴う該弾性係合片と前記係合部との係合によって係合され、且つ、該筒状部の他方の側からの前記解除部材の差入れ部の差入れによる前記弾性係合片と前記係合部との係合の解除によって該雄部材と該雌部材との係合が解かれる構成としてあることから、
このバックルを構成する雄部材と雌部材とを夫々に備えた各帯状体相互を、該雌部材の筒状部に対する前記雄部材の弾性係合片の差し込み係合のみによって、容易に、しかも確実に連結状態として用いることができ、しかも、この雄部材と雌部材との係合による帯状体の連結を当該連結状態にある雌部材の筒状部内に対する解除部材の差入れ操作のみによって解除可能とし、解除部材を有する特定の取扱者のみによる荷ほどき管理をなすようにすることができる効果を有する。
【０１５８】
また前記の構成に係るバックルにおいて、前記雄部材における前記取付け部が、前記帯状体の挿通される一対の挿通空間を有し且つ該対をなす挿通空間の間を該帯状体の掛け回し軸部としてあると共に、前記雌部材が、前記筒状部に前記雄部材の前記弾性係合片を受け入れて前記係合部に該弾性係合片を係合させた際に、前記雄部材における前記取付け部の少なくとも帯状体を掛け回した前記掛け回し軸部を該掛け回し軸部の軸線方向で両側から覆い隠す覆い板部を該筒状部における前記弾性係合片の差し込み側から突き出し状態に備えている構成としたことによって、
雄部材に取付けられている帯状体を締め込み方向に締め込み、又は、この帯状体を緩み出し方向に緩めた状態で当該雄部材を雌部材に係合することによって、これに取付けられている帯状体相互を当該締め込み又は緩み出し状態において連結することができ、しかも、かかる雄部材と雌部材との係合で帯状体を連結した状態において該雄部材に掛け回されている帯状体の緩み出し方向に向けた緩み出し操作を阻止できる効果を有する。
【０１５９】
また、前記構成に係るバックルにおいて、前記雌部材が、前記掛け回し軸部の少なくとも一部を前記覆い板部から外方に表れるように前記筒状部に前記雄部材における前記弾性係合片を差し込んだ差し込み位置で該弾性係合片の係合される第１係合部と、少なくとも前記掛け回し軸部をその軸線方向で両側から前記覆い板部で覆い隠すように前記筒状部に前記雄部材における前記弾性係合片を差し込んだ差し込み位置で該弾性係合片の係合される第２係合部とを備えた構成としたことによって、
各帯状体に取付けられた雄部材の弾性係合片を雌部材における第１係合部に係合させて、これに取付けられている帯状体を容易に連結状態にして用いることができ、しかも、当該連結状態において雄部材に取付けられている帯状体を締め込み方向に向けて締め込み、又は緩み出させることができる効果を有する。また、さらに、帯状体に取付けられた雄部材の弾性係合片を雌部材における第２係合部に係合させて、これに取付けられている帯状体を容易に連結状態にすることができ、当該帯状体の連結の解除を係合解除部材を有する取扱者による筒状部内に対する当該係合解除部材の差し込み操作のみとすることができ、また、この雄部材と雌部材とを係合した帯状体の連結状態において該雄部材に掛け回されている帯状体の緩み出し方向に向けた緩み出し操作を阻止できる効果を有する。
【図面の簡単な説明】
【図１】第１の実施の形態に係るバックルにおける雄部材Ａと雌部材Ｂとを組み付けた状態の平面図
【図２】同底面図
【図３】同正面図
【図４】同右側面図
【図５】同左側面図
【図６】図１におけるＦ−Ｆ矢視断面図
【図７】図３におけるＧ−Ｇ矢視断面図
【図８】図３におけるＨ−Ｈ矢視断面図
【図９】同バックルを構成する部品の分離した状態を示す斜視図
【図１０】同第１の実施の形態に係るバックルを構成する雌部材Ｂの平面図
【図１１】同底面図
【図１２】同正面図
【図１３】同右側面図
【図１４】同左側面図
【図１５】図１０におけるＩ−Ｉ矢視断面図
【図１６】図１２におけるＪ−Ｊ矢視断面図
【図１７】図１２におけるＫ−Ｋ矢視断面図
【図１８】同第１の実施の形態に係るバックルを構成する雄部材Ａの平面図
【図１９】同底面図
【図２０】同正面図
【図２１】同右側面図
【図２２】同左側面図
【図２３】図１８におけるＬ−Ｌ矢視断面図
【図２４】同第１の実施の形態に係るバックルを構成する解除部材Ｃの平面図
【図２５】同正面図
【図２６】同右側面図
【図２７】同左側面図
【図２８】図２４におけるＭ−Ｍ矢視断面図
【図２９】同バックルを構成する雄部材Ａの弾性係合片２０を雌部材Ｂにおける第１係合部７５Ａに係合している状態の縦断面図
【図３０】同バックルを構成する雄部材Ａの弾性係合片２０を雌部材Ｂにおける第２係合部７５Ｂに係合している状態の縦断面図
【図３１】同バックルを構成する雄部材Ａの弾性係合片２０を雌部材Ｂにおける第１係合部７５Ａに係合している状態の筒状部４０を水平の向きで断面して示した要部平断面図
【図３２】同バックルを構成する雄部材Ａの弾性係合片２０を雌部材Ｂにおける第２係合部７５Ｂに係合している状態の筒状部４０を水平の向きで断面して示した要部平断面図
【図３３】同バックルを構成する雄部材Ａの該弾性係合片２０を雌部材Ｂの第２係合部７５Ｂに係合している状態で解除部材Ｃを筒状部４０内に差し入れた状態の筒状部４０を水平の向きで断面して示した要部平断面図
【図３４】同バックルを構成する雄部材Ａの該弾性係合片２０を雌部材Ｂの第２係合部７５Ｂに係合している状態で解除部材Ｃを筒状部４０内に押し入れて雄部材Ａの弾性係合片２０を撓め、係合部７５に対する係合を解除している状態の筒状部４０を水平の向きで断面して示した要部平断面図
【図３５】同バックルに帯状体Ｄを備えて用いている状態を示す斜視図
【図３６】第２の実施の形態に係るバックルにおける雄部材Ａと雌部材Ｂとを組み付けた状態の平面図
【図３７】同底面図
【図３８】同正面図
【図３９】同右側面図
【図４０】同左側面図
【図４１】図３６におけるＮ−Ｎ矢視断面図
【図４２】図３８におけるＯ−Ｏ矢視断面図
【図４３】図３８におけるＰ−Ｐ矢視断面図
【図４４】同バックルを構成する部品を分離した状態の斜視図
【図４５】同第２の実施の形態に係るバックルを構成する雌部材Ｂの平面図
【図４６】同底面図
【図４７】同正面図
【図４８】同右側面図
【図４９】同左側面図
【図５０】図４５におけるＱ−Ｑ矢視断面図
【図５１】図４５におけるＲ−Ｒ矢視断面図
【図５２】図４７におけるＳ−Ｓ矢視断面図
【図５３】図４７におけるＴ−Ｔ矢視断面図
【図５４】同第２の実施の形態に係るバックルを構成する雄部材Ａの平面図
【図５５】同底面図
【図５６】同正面図
【図５７】同右側面図
【図５８】同左側面図
【図５９】図５４におけるＵ−Ｕ矢視断面図
【図６０】同第２の実施の形態に係るバックルを構成する解除部材Ｃの平面図
【図６１】同底面図
【図６２】同正面図
【図６３】同右側面図
【図６４】同左側面図
【図６５】図６０におけるＶ−Ｖ矢視断面図
【図６６】同バックルを構成する雄部材Ａの弾性係合片２０を雌部材Ｂにおける係合部７５に係合している状態の縦断面図
【図６７】同バックルを構成する雄部材Ａの弾性係合片２０を雌部材Ｂにおける係合部７５に係合している状態の筒状部４０を水平の向きで断面して示した要部平断面図
【図６８】同バックルを構成する雄部材Ａの弾性係合片２０を雌部材Ｂの係合部７５に係合している状態で解除部材Ｃを筒状部４０内に差し入れた状態を示す縦断面図
【図６９】同バックルを構成する雄部材Ａの該弾性係合片２０を雌部材Ｂの係合部７５に係合している状態で解除部材Ｃを筒状部４０内に差し入れた状態の筒状部４０を水平の向きで断面して示した要部平断面図
【図７０】同バックルを構成する雄部材Ａの該弾性係合片２０を雌部材Ｂの係合部７５に係合している状態で解除部材Ｃを筒状部４０内に押し入れて雄部材Ａの弾性係合片２０を撓め、係合部７５に対する係合を解除している状態の筒状部４０を水平の向きで断面して示した要部平断面図
【図７１】同バックルに帯状体Ｄを備えて用いている状態を示す斜視図
【図７２】従来のバックルを構成する雄部材と雌部材とを分離して示した平面図
【図７３】同従来のバックルを構成する雄部材と雌部材とを係合した状態で示した平面図
【符号の説明】
Ａ  雄部材
Ｂ  雌部材
Ｃ  解除部材
Ｄ  帯状体
１０  取付け部
２０  弾性係合片
４０  筒状部
７４  案内部
７５  係合部
８０  差入れ部
８２ｃ  案内面
【図１】
0003978298.tif 000002
【図２】
0003978298.tif 000003
【図３】
0003978298.tif 000004
【図４】
0003978298.tif 000005
【図５】
0003978298.tif 000006
【図６】
0003978298.tif 000007
【図７】
0003978298.tif 000008
【図８】
0003978298.tif 000009
【図９】
0003978298.tif 000010
【図１０】
0003978298.tif 000011
【図１１】
0003978298.tif 000012
【図１２】
0003978298.tif 000013
【図１３】
0003978298.tif 000014
【図１４】
0003978298.tif 000015
【図１５】
0003978298.tif 000016
【図１６】
0003978298.tif 000017
【図１７】
0003978298.tif 000018
【図１８】
0003978298.tif 000019
【図１９】
0003978298.tif 000020
【図２０】
0003978298.tif 000021
【図２１】
0003978298.tif 000022
【図２２】
0003978298.tif 000023
【図２３】
0003978298.tif 000024
【図２４】
0003978298.tif 000025
【図２５】
0003978298.tif 000026
【図２６】
0003978298.tif 000027
【図２７】
0003978298.tif 000028
【図２８】
0003978298.tif 000029
【図２９】
0003978298.tif 000030
【図３０】
0003978298.tif 000031
【図３１】
0003978298.tif 000032
【図３２】
0003978298.tif 000033
【図３３】
0003978298.tif 000034
【図３４】
0003978298.tif 000035
【図３５】
0003978298.tif 000036
【図３６】
0003978298.tif 000037
【図３７】
0003978298.tif 000038
【図３８】
0003978298.tif 000039
【図３９】
0003978298.tif 000040
【図４０】
0003978298.tif 000041
【図４１】
0003978298.tif 000042
【図４２】
0003978298.tif 000043
【図４３】
0003978298.tif 000044
【図４４】
0003978298.tif 000045
【図４５】
0003978298.tif 000046
【図４６】
0003978298.tif 000047
【図４７】
0003978298.tif 000048
【図４８】
0003978298.tif 000049
【図４９】
0003978298.tif 000050
【図５０】
0003978298.tif 000051
【図５１】
0003978298.tif 000052
【図５２】
0003978298.tif 000053
【図５３】
0003978298.tif 000054
【図５４】
0003978298.tif 000055
【図５５】
0003978298.tif 000056
【図５６】
0003978298.tif 000057
【図５７】
0003978298.tif 000058
【図５８】
0003978298.tif 000059
【図５９】
0003978298.tif 000060
【図６０】
0003978298.tif 000061
【図６１】
0003978298.tif 000062
【図６２】
0003978298.tif 000063
【図６３】
0003978298.tif 000064
【図６４】
0003978298.tif 000065
【図６５】
0003978298.tif 000066
【図６６】
0003978298.tif 000067
【図６７】
0003978298.tif 000068
【図６８】
0003978298.tif 000069
【図６９】
0003978298.tif 000070
【図７０】
0003978298.tif 000071
【図７１】
0003978298.tif 000072
【図７２】
0003978298.tif 000073
【図７３】
0003978298.tif 000074